(57)【要約】【課題】  背景と被写体とのバランスがとれた合成画像を提供可能な写真プリント装置を得る。【解決手段】  被写体の背景を含めて被写体の撮影を行なうカメラユニット２と、カメラユニット２で撮影された画像から、被写体画像を分離する分離処理部４１と、分離処理部４１で分離された被写体画像の大きさ、および、被写体の背景として被写体画像と合成する背景画像の大きさの少なくとも一方を調整するサイズ調整部４６と、サイズ調整部４６により調整された大きさにて、被写体画像と背景画像とを合成する画像合成部４７と、合成された画像を写真画像とし、該写真画像に基づいて、プリント媒体に対して画像の出力を行なうプリンタ２５とを備える。【選択図】  図１
2005295163.tif 000002
【特許請求の範囲】
【請求項１】
被写体の背景を含めて被写体の撮影を行なう撮影装置と、
前記撮影装置で撮影された画像から、前記被写体画像を分離する分離手段と、
前記分離手段で分離された被写体画像の大きさおよび／または配置、並びに、前記被写体の背景として前記被写体画像と合成する背景画像の大きさの少なくとも一方を調整する調整手段と、
前記調整手段により調整された状態にて、前記被写体画像と前記背景画像とを合成する合成手段と、
前記合成された画像を写真画像とし、該写真画像に基づいて、プリント媒体に対して画像の出力を行なう出力装置とを備えることを特徴とする写真プリント装置。
【請求項２】
前記合成された画像は、被写体の現時点での状態をリアルタイムで表示する画像であって、
前記合成された画像を表示する表示装置と、
前記被写体である利用者からの指示を受け付けることにより、前記合成された画像を写真画像とする写真画像設定手段を備えることを特徴とする請求項１記載の写真プリント装置。
【請求項３】
前記背景画像に応じて予め定められた領域であって、被写体の配置目標を示した被写体配置領域を、前記表示装置に表示させる領域表示手段とを備えることを特徴とする請求項２記載の写真プリント装置。
【請求項４】
前記調整手段は、前記被写体画像の大きさに合わせて、前記背景画像の大きさを調整することを特徴とする請求項１から３の何れか１項に記載の写真プリント装置。
【請求項５】
前記調整手段は、前記背景画像の大きさに合わせて、前記被写体画像の大きさを調整することを特徴とする請求項１から３の何れか１項に記載の写真プリント装置。
【請求項６】
被写体の背面に備えられると共に、前記被写体の背景となる背景画像を表示する第１の表示装置と、
前記第１の表示装置に表示された背景画像と、被写体との撮影を行なう撮影装置と、
前記背景画像の大きさを調整する調整手段と、
前記撮影装置で撮影される、被写体画像と調整された背景画像とを写真画像とし、該写真画像に基づいて、プリント媒体に対して画像の出力を行なう出力装置とを備えることを特徴とする写真プリント装置。
【請求項７】
前記被写体画像の大きさを認識する認識手段を備え、
前記調整手段は、前記認識手段で認識した被写体画像の大きさに合わせて、前記背景画像の大きさを調整することを特徴とする請求項６記載の写真プリント装置。
【請求項８】
前記撮影装置で撮影された画像を表示する第２の表示装置と、
前記背景画像に応じて予め定められた領域であって、被写体の配置目標を示した被写体配置領域を、前記第２の表示装置に表示させる領域表示手段とを備えることを特徴とする請求項６または７記載の写真プリント装置。
【請求項９】
前記被写体配置領域に、前記被写体が位置したか否かを判定する判定手段を備え、
前記被写体配置領域に前記被写体が位置した場合に、写真撮影を許可することを特徴とする請求項３または８記載の写真プリント装置。
【請求項１０】
複数の背景画像を記憶している記憶装置と、
被写体の数を検出する検出手段と、
前記検出手段により検出した被写体の数に基づき、前記記憶手段に記憶された複数の背景画像から、一の背景画像を選択する選択手段とを備えることを特徴とする請求項１から９の何れか１項に記載の写真プリント装置。
【請求項１１】
前記写真画像とする前に、前記背景画像を他の背景画像に変更する変更手段を備えることを特徴とする請求項２、３、および８の何れか１項に記載の写真プリント装置。
【請求項１２】
前記背景画像の所定の領域に、２次元画像を３次元的に表した画像を挿入する挿入手段を備えることを特徴とする請求項１から１１の何れか１項に記載の写真プリント装置。
【請求項１３】
前記背景画像は、２次元画像を３次元的に表した画像であることを特徴とする請求項１から１２の何れか１項に記載の写真プリント装置。
【請求項１４】
前記背景画像を外部から受信する受信装置を備えることを特徴とする請求項１から１３の何れか１項に記載の写真プリント装置。
【請求項１５】
被写体の背景を含めて被写体の撮影を行なう撮影ステップと、
前記撮影ステップで撮影された画像から、前記被写体画像を分離する分離ステップと、
前記分離ステップで分離された被写体画像の大きさおよび／または配置、並びに、前記被写体の背景として前記被写体画像と合成する背景画像の大きさの少なくとも一方を調整する調整ステップと、
前記調整ステップにより調整された大きさにて、前記被写体画像と前記背景画像とを合成する合成ステップと、
前記合成ステップで合成された画像を写真画像とし、該写真画像に基づいて、プリント媒体に対して画像の出力を行なう出力ステップとを備えることを特徴とする写真プリント装置の制御方法。
【請求項１６】
被写体の背面に備えられると共に、前記被写体の背景となる背景画像を表示する表示ステップと、
前記表示ステップで表示された背景画像と、被写体との撮影を行なう撮影ステップと、
前記背景画像の大きさを調整する調整ステップと、
前記撮影ステップで撮影される、被写体画像と調整された背景画像とを写真画像とし、該写真画像に基づいて、プリント媒体に対して画像の出力を行なう出力ステップとを備えることを特徴とする写真プリント装置の制御方法。
【請求項１７】
請求項１から１４の何れか１項に記載の写真プリント装置の各手段としてコンピュータを機能させるためのプログラム。
【請求項１８】
請求項１５または１６に記載の写真プリント装置の制御方法をコンピュータに実行させるためのプログラム。
【請求項１９】
請求項１７または１８記載のプログラムを記録した記録媒体。
【発明の詳細な説明】
【技術分野】
【０００１】
本発明は、利用者の写真撮影を行なうとともに、その写真を背景画像や落書き画像などと合成した上で写真プリントとして出力する写真プリント装置に関するものである。
【背景技術】
【０００２】
従来、例えばゲームセンターなどの娯楽施設において、デジタルカメラ等の撮影手段により利用者をリアルタイムで撮影し、撮影中の動画をライブビューとして表示パネルに表示すると共に、この動画から静止画像を記録し（写真撮影）、この静止画像（写真画像）をシール紙上に印刷する写真プリント装置が設置されており、人気を博している。
【０００３】
このような写真プリント装置での処理は、コイン投入、撮影処理（被写体の撮影および画像の記録）、編集（落書き）処理、シール印刷という流れになっており、一連の操作を終了した利用者は、投入したコインに対する成果物であるシールプリントを受け取ることによってプレイを終了することになる。
【０００４】
また、最近の写真プリント装置には、撮影スペースに備えられた複数の背景用カーテンから、利用者が所望する色の背景用カーテンを選択し、選択した背景用カーテンをバックにして撮影できる機能を備えているものも存在する。さらに、複数用意されたライティングモード（写真撮影時のストロボ光強度）から、利用者が所望するライティングモードを選択できる機能を備えることにより、シール上に印刷される利用者像の美白度合を変化させることが可能なものも存在する。これら機能を備えた写真プリント装置においては、高解像度のＣＣＤ（charge coupled device）カメラの性能を活かした撮影を行なうことができ、高画質の画像を記録することが可能になる。
【０００５】
また、写真撮影により記録した静止画像を液晶パネル（タッチパネル）に表示させ、この静止画像に対し、利用者が付属ペン・指・スタンプ等を用いて任意あるいは所定の文字・図形等の書き込みや編集を行なうことのできる写真プリント装置も存在する。これにより、個性的な編集画像を作成し、この編集画像をシール紙上に印刷することが可能になる。
【０００６】
また、背景用カーテンの代わりに投影用のスクリーンを設け、このスクリーンに種々の背景映像を映写して撮影する構成の写真プリント装置も存在する（特許文献１等）。さらに、特許文献１には、スクリーンに映写する代わりに、多様な背景画像のデータをメモリ等に記憶しておき、カメラで撮影される被写体の画像に対して記憶された背景画像の中から一つの背景画像を選択した後、これらの画像を電気的に合成する構成も示唆されている。
【０００７】
また、特許文献２には、背面および底面の照明手段と、前記照明手段からの彩度・明度を測定し、記憶する記憶手段と、前記照明手段の前に位置する撮影対象を撮影した前景画像に対して、あらかじめ選択された背景画像の特定の色をキーとし、前景画像と背景画像とを合成する画像合成手段と、画像合成手段による合計結果を表示する画像表示手段とを備えた画像合成装置が開示されている。そして、この構成により、背景と被写体とを自然な状態で合成可能としている。
【０００８】
さらに、特許文献３には、自画像とフレーム画像との境界線をぼけた感じにすることにより、見た目に自然な合成画像を得る画像画像作成装置が開示されている。
【特許文献１】特開２００３−１４３４４１号（公開日：平成１５年５月１６日）
【特許文献２】特開２０００−２２４４１０号（公開日：平成１２年８月１１日）
【特許文献３】実用新案第３０５８６６４号（登録日：平成１１年３月１０日）
【特許文献４】特許第３２１２５９２号（登録日：平成１３年７月１９日）
【特許文献５】特許第３４７４５０２号（登録日：平成１５年９月１９日）
【特許文献６】特開２００４−５７２１号（公開日：平成１６年１月８日）
【発明の開示】
【発明が解決しようとする課題】
【０００９】
しかしながら、上記特許文献１に開示あるいは示唆された構成では、被写体となる利用者と背景との間における、大きさのバランス調整を行なうことができない。したがって、背景次第で、合成される画像は違和感のあるものになってしまう。つまり、背景に対して人物が大きすぎたり、あるいは、背景に対して人物が小さすぎたりしてしまい、背景と被写体とのバランスが悪くなり、違和感のある合成画像となってしまう。
【００１０】
また、特許文献２および３の構成でも、上記と同様の問題が生じる。
【００１１】
さらに、従来の構成では、被写体画像に関して特異なポーズの合成画像を得ようとすると、被写体である利用者が無理なポーズ（姿勢）をとらなくてはならない。しかしながら、限られたスペースで無理なポーズをとることは困難であり、その結果、得られる合成画像は、いつも決まった同じような構成となる。
【００１２】
本発明は、上記の問題点に鑑みてなされたものであり、その目的は、背景と被写体とのバランスがとれた合成画像を提供可能な写真プリント装置を提供することを目的とする。
【課題を解決するための手段】
【００１３】
本発明に係る写真プリント装置は、上記の課題を解決するため、被写体の背景を含めて被写体の撮影を行なう撮影装置と、前記撮影装置で撮影された画像から、前記被写体画像を分離する分離手段と、前記分離手段で分離された被写体画像の大きさおよび／または配置、並びに、前記被写体の背景として前記被写体画像と合成する背景画像の大きさの少なくとも一方を調整する調整手段と、前記調整手段により調整された大きさにて、前記被写体画像と前記背景画像とを合成する合成手段と、前記合成された画像を写真画像とし、該写真画像に基づいて、プリント媒体に対して画像の出力を行なう出力装置とを備えることを特徴としている。
【００１４】
上記の構成によれば、調整手段により、前記分離手段で分離された被写体画像の大きさおよび／または配置、並びに、前記被写体の背景として前記被写体画像と合成する背景画像の大きさの少なくとも一方が調整される。つまり、調整手段により、（１）被写体画像の大きさおよび／または配置、（２）背景画像の大きさ、あるいは、（３）被写体画像の大きさおよび／または配置並びに背景画像の大きさが調整される。また、合成手段により、前記調整手段により調整された状態にて、前記被写体画像と前記背景画像とが合成される。
【００１５】
したがって、調整手段により被写体画像と背景画像との少なくとも一方を調整した状態で、合成手段により被写体画像と背景画像とを合成することにより、被写体画像と背景画像とのバランスがとれた合成画像が得られる。
【００１６】
そして、この合成画像を写真画像とし、出力装置により、該写真画像に基づいて、プリント媒体に対して画像の出力を行なうことにより、被写体画像と背景画像とのバランスがとれたプリント媒体を利用者に提供することが可能となるという効果を奏する。
【００１７】
なお、被写体画像の配置を調整した場合には、背景画像に合わせて奇想天外なポーズをとった被写体画像と、該背景画像との合成画像を得ることができる。これにより、トリック的に表現された合成画像や、ＳＦＸ（Special Effects）的に表現された合成画像に基づいたプリント媒体を利用者に提供することができる。それゆえ、利用者が予期し得ない合成画像を提供でき、写真プリント装置利用時の楽しさを向上することができる。
【００１８】
また、本発明に係る写真プリント装置は、上記の写真プリント装置において、前記合成された画像は、被写体の現時点での状態をリアルタイムで表示する画像であって、前記合成された画像を表示する表示装置と、前記被写体である利用者からの指示を受け付けることにより、前記合成された画像を写真画像とする写真画像設定手段を備えることを特徴としている。
【００１９】
上記の構成によれば、合成手段で合成された画像は、被写体の現時点での状態をリアルタイムで表示する画像であると共に、前記表示装置が該画像を表示する。そして、被写体である利用者からの指示を受け付けることにより、写真画像設定手段が前記合成された画像を写真画像とする。
【００２０】
したがって、合成画像を表示装置にリアルタイムに表示できるため、前記合成画像を写真画像とする前に、利用者は合成画像を確認することがでるという効果を奏する。
【００２１】
また、本発明に係る写真プリント装置は、上記の写真プリント装置において、前記背景画像に応じて予め定められた領域であって、被写体の配置目標を示した被写体配置領域を、前記表示装置に表示させる領域表示手段とを備えることを特徴としている。
【００２２】
背景画像によっては、被写体画像の好ましい配置領域が存在する。そこで、このような好ましい配置領域に被写体画像があれば、被写体画像と背景画像とのバランスが好適となる。
【００２３】
したがって、利用者が、領域表示手段が表示装置に表示させた前記被写体配置領域を参考にして、立ち位置やポーズを変更することにより、被写体画像と背景画像とのバランスを好適にとることが可能となる。
【００２４】
また、本発明に係る写真プリント装置は、上記の写真プリント装置において、前記調整手段は、前記被写体画像の大きさに合わせて、前記背景画像の大きさを調整することを特徴としている。
【００２５】
上記の構成によれば、調整手段が、前記被写体画像の大きさに合わせて、前記背景画像の大きさを調整する。つまり、調整手段が背景画像の大きさのみを調整する。
【００２６】
したがって、背景画像の大きさのみの調整ですむため、調整手段での処理の高速化を図ることができるという効果を奏する。
【００２７】
また、本発明に係る写真プリント装置は、上記の写真プリント装置において、前記調整手段は、前記背景画像の大きさに合わせて、前記被写体画像の大きさを調整することを特徴としている。
【００２８】
上記の構成によれば、調整手段が、前記背景画像の大きさに合わせて、前記被写体画像の大きさを調整する。
【００２９】
したがって、被写体画像の大きさのみの調整ですむため、調整手段での処理の高速化を図ることができるという効果を奏する。
【００３０】
本発明に係る写真プリント装置は、上記の課題を解決するために、被写体の背面に備えられると共に、前記被写体の背景となる背景画像を表示する第１の表示装置と、前記第１の表示装置に表示された背景画像と、被写体との撮影を行なう撮影装置と、前記背景画像の大きさを調整する調整手段と、前記撮影装置で撮影される、被写体画像と調整された背景画像とを写真画像とし、該写真画像に基づいて、プリント媒体に対して画像の出力を行なう出力装置とを備えることを特徴としている。
【００３１】
上記の構成によれば、撮影装置により、第１の表示装置に表示された背景画像と、被写体との撮影が行なわれる。そして、調整手段により、撮影装置での撮影対象となる背景画像の大きさの調整が行なわれる。
【００３２】
それゆえ、被写体と背景画像との大きさのバランスがとれた状態で、撮影装置による撮影を行なうことができる。
【００３３】
したがって、撮影装置で撮影される、被写体画像と調整された背景画像とを写真画像とし、出力装置により、該写真画像に基づいて、プリント媒体に対して画像の出力を行なうことにより、被写体画像と背景画像とのバランスがとれたプリント媒体を利用者に提供することが可能となるという効果を奏する。
【００３４】
また、本発明に係る写真プリント装置は、上記の写真プリント装置において、前記被写体画像の大きさを認識する認識手段を備え、前記調整手段は、前記認識手段で認識した被写体画像の大きさに合わせて、前記背景画像の大きさを調整することを特徴としている。
【００３５】
上記の構成によれば、認識手段が、被写体画像の大きさを認識する。そして、調整手段が、前記認識手段で認識した被写体画像の大きさに合わせて、前記背景画像の大きさを調整する。
【００３６】
したがって、利用者が背景画像の大きさ調整を行なうといった手間を省くことができるという効果を奏する。
【００３７】
また、本発明に係る写真プリント装置は、上記の写真プリント装置において、前記撮影装置で撮影された画像を表示する第２の表示装置と、前記背景画像に応じて予め定められた領域であって、被写体の配置目標を示した被写体配置領域を、前記第２の表示装置に表示させる領域表示手段とを備えることを特徴としている。
【００３８】
背景画像によっては、被写体の好ましい配置領域が存在する。そこで、このような好ましい配置領域に被写体があれば、被写体と背景画像とのバランスが好適となる。
【００３９】
したがって、利用者が、領域表示手段が第２の表示装置に表示させた前記被写体配置領域を参考にして、立ち位置やポーズを変更することにより、被写体と背景画像とのバランスを好適にとることが可能となる。
【００４０】
また、本発明に係る写真プリント装置は、上記の写真プリント装置において、前記被写体配置領域に、前記被写体が位置したか否かを判定する判定手段を備え、前記被写体配置領域に前記被写体が位置した場合に、写真撮影を許可することを特徴としている。
【００４１】
上記の構成によれば、判定手段が、前記被写体配置領域に前記被写体が位置したか否かを判定する。そして、前記被写体配置領域に前記被写体が位置した場合に、写真撮影を許可する。
【００４２】
したがって、被写体画像と背景画像とのバランスが常に取れたプリント媒体を提供することができるという効果を奏する。
【００４３】
また、本発明に係る写真プリント装置は、上記の写真プリント装置において、複数の背景画像を記憶している記憶装置と、被写体の数を検出する検出手段と、前記検出手段により検出した被写体の数に基づき、前記記憶手段に記憶された複数の背景画像から、一の背景画像を選択する選択手段とを備えることを特徴としている。
【００４４】
背景画像によっては、被写体の好ましい数が存在する。つまり、背景画像には、一人向きの画像や、２人向きの画像、あるいは、それ以上の人数に向いた画像が存在する。
【００４５】
上記の構成によれば、選択手段により、前記検出手段により検出した被写体の数に基づき、前記記憶手段に記憶された複数の背景画像から一の背景画像が選択される。
【００４６】
したがって、被写体の数に好適な背景画像を用いることが可能となるという効果を奏する。
【００４７】
また、本発明に係る写真プリント装置は、上記の写真プリント装置において、前記写真画像とする前に、前記背景画像を他の背景画像に変更する変更手段を備えることを特徴としている。
【００４８】
上記の構成によれば、変更手段により、前記写真画像とする前に、前記背景画像が他の背景画像に変更される。
【００４９】
したがって、利用者に対して、表示装置または第２の表示装置に表示していた背景画像とは、異なる背景画像を用いたプリント媒体を提供することができるという効果を奏する。それゆえ、利用者に対して、意外性を与えることができる。
【００５０】
また、本発明に係る写真プリント装置は、上記の写真プリント装置において、前記背景画像の所定の領域に、２次元画像を３次元的に表した画像を挿入する挿入手段を備えることを特徴としている。
【００５１】
上記の構成によれば、挿入手段が、前記背景画像の所定の領域に、２次元画像を３次元的に表した画像を挿入する。
【００５２】
したがって、立体感のあるリアルなプリント媒体を提供することができるという効果を奏する。
【００５３】
また、本発明に係る写真プリント装置は、上記の写真プリント装置において、前記背景画像は、２次元画像を３次元的に表した画像であることを特徴としている。
【００５４】
ところで、３次元的に表現された画像は、２次元的に表現された画像よりも、遠近感が強調される。それゆえ、被写体画像と背景画像とのバランスは、２次元的に表現された画像を背景画像として用いる場合よりも、３次元的に表現された画像を背景画像として用いた場合の方が強調されてしまう。
【００５５】
したがって、前記背景画像が２次元画像を３次元的に表した画像である場合に、とりわけ、調整手段での調整の効果が大きくなる。
【００５６】
また、本発明に係る写真プリント装置は、上記の写真プリント装置において、前記背景画像を外部から受信する受信装置を備えることを特徴としている。
【００５７】
上記の構成によれば、受信装置が、前記背景画像を外部から受信する。
【００５８】
したがって、新たな背景画像を利用者に提供することができるという効果を奏する。
【００５９】
本発明に係る写真プリント装置の制御方法は、上記の課題を解決するために、被写体の背景を含めて被写体の撮影を行なう撮影ステップと、前記撮影ステップで撮影された画像から、前記被写体画像を分離する分離ステップと、前記分離ステップで分離された被写体画像の大きさおよび／または配置、並びに、前記被写体の背景として前記被写体画像と合成する背景画像の大きさの少なくとも一方を調整する調整ステップと、前記調整ステップにより調整された大きさにて、前記被写体画像と前記背景画像とを合成する合成ステップと、前記合成ステップで合成された画像を写真画像とし、該写真画像に基づいて、プリント媒体に対して画像の出力を行なう出力ステップとを備えることを特徴としている。
【００６０】
上記の方法によれば、調整ステップにより、前記分離ステップで分離された被写体画像の大きさおよび／または配置、並びに、前記被写体の背景として前記被写体画像と合成する背景画像の大きさの少なくとも一方が調整される。つまり、調整ステップにより、（１）被写体画像の大きさおよび／または配置、（２）背景画像の大きさ、あるいは、（３）被写体画像の大きさおよび／または配置並びに背景画像の大きさが調整される。また、合成ステップにより、前記調整ステップにより調整された状態にて、前記被写体画像と前記背景画像とが合成される。
【００６１】
したがって、調整ステップにより被写体画像と背景画像との少なくとも一方を調整した状態で、合成ステップにより被写体画像と背景画像とを合成することにより、被写体画像と背景画像とのバランスがとれた合成画像が得られる。
【００６２】
そして、この合成画像を写真画像とし、出力ステップにより、該写真画像に基づいて、プリント媒体に対して画像の出力を行なうことにより、被写体画像と背景画像とのバランスがとれたプリント媒体を利用者に提供することが可能となるという効果を奏する。
【００６３】
なお、被写体画像の配置を調整した場合には、背景画像に合わせて奇想天外なポーズをとった被写体画像と、該背景画像との合成画像を得ることができる。これにより、トリック的に表現された合成画像や、ＳＦＸ的に表現された合成画像に基づいたプリント媒体を利用者に提供することができる。それゆえ、利用者が予期し得ない合成画像を提供でき、写真プリント装置利用時の楽しさを向上することができる。
【００６４】
本発明に係る写真プリント装置の制御方法は、上記の課題を解決するため、被写体の背面に備えられると共に、前記被写体の背景となる背景画像を表示する表示ステップと、前記表示ステップで表示された背景画像と、被写体との撮影を行なう撮影ステップと、前記背景画像の大きさを調整する調整ステップと、前記撮影ステップで撮影される、被写体画像と調整された背景画像とを写真画像とし、該写真画像に基づいて、プリント媒体に対して画像の出力を行なう出力ステップとを備えることを特徴としている。
【００６５】
上記の方法によれば、撮影ステップにより、表示ステップで表示された背景画像と、被写体との撮影が行なわれる。そして、調整ステップにより、撮影ステップでの撮影対象となる背景画像の大きさの調整が行なわれる。
【００６６】
それゆえ、被写体と背景画像との大きさのバランスがとれた状態で、撮影ステップにて撮影を行なうことができる。
【００６７】
したがって、撮影ステップで撮影される、被写体画像と調整された背景画像とを写真画像とし、出力ステップにより、該写真画像に基づいて、プリント媒体に対して画像の出力を行なうことにより、被写体画像と背景画像とのバランスがとれたプリント媒体を利用者に提供することが可能となるという効果を奏する。
【００６８】
本発明に係るプログラムは、以上のように、前記写真プリント装置の各手段としてコンピュータを機能させるためのものである。
【００６９】
前記プログラムをコンピュータシステムにロードすることによって、上記写真プリント装置を提供することが可能となるという効果を奏する。
【００７０】
本発明に係るプログラムは、以上のように、上記写真プリント装置の制御方法をコンピュータに実行させるためのものである。
【００７１】
前記プログラムをコンピュータシステムにロードすることによって、上記写真プリント装置の制御方法を提供することが可能となるという効果を奏する。
【００７２】
本発明に係るプログラムを記録した記録媒体は、以上のように、前記プログラムを記録しているものである。
【００７３】
前記記録媒体に記録されているプログラムをコンピュータシステムにロードすることによって、上記写真プリント装置、写真プリント装置の制御方法を提供することが可能となるという効果を奏する。
【発明の効果】
【００７４】
本発明に係る写真プリント装置は、以上のように、被写体の背景を含めて被写体の撮影を行なう撮影装置と、前記撮影装置で撮影された画像から、前記被写体画像を分離する分離手段と、前記分離手段で分離された被写体画像の大きさおよび／または配置、並びに、前記被写体の背景として前記被写体画像と合成する背景画像の大きさの少なくとも一方を調整する調整手段と、前記調整手段により調整された状態にて、前記被写体画像と前記背景画像とを合成する合成手段と、前記合成された画像を写真画像とし、該写真画像に基づいて、プリント媒体に対して画像の出力を行なう出力装置を備えている。
【００７５】
また、本発明に係る写真プリント装置は、以上のように、被写体の背面に備えられると共に、前記被写体の背景となる背景画像を表示する第１の表示装置と、前記第１の表示装置に表示された背景画像と、被写体との撮影を行なう撮影装置と、前記背景画像の大きさを調整する調整手段と、前記撮影装置で撮影される、被写体画像と調整された背景画像とを写真画像とし、該写真画像に基づいて、プリント媒体に対して画像の出力を行なう出力装置を備えている。
【００７６】
本発明に係る写真プリント装置の制御方法は、以上のように、被写体の背景を含めて被写体の撮影を行なう撮影ステップと、前記撮影ステップで撮影された画像から、前記被写体画像を分離する分離ステップと、前記分離ステップで分離された被写体画像の大きさおよび／または配置、並びに、前記被写体の背景として前記被写体画像と合成する背景画像の大きさの少なくとも一方を調整する調整ステップと、前記調整ステップにより調整された状態にて、前記被写体画像と前記背景画像とを合成する合成ステップと、前記合成ステップで合成された画像を写真画像とし、該写真画像に基づいて、プリント媒体に対して画像の出力を行なう出力ステップとを備えている。
【００７７】
また、本発明に係る写真プリント装置の制御方法は、以上のように、被写体の背面に備えられると共に、前記被写体の背景となる背景画像を表示する表示ステップと、前記表示ステップで表示された背景画像と、被写体との撮影を行なう撮影ステップと、前記背景画像の大きさを調整する調整ステップと、前記撮影ステップで撮影される、被写体画像と調整された背景画像とを写真画像とし、該写真画像に基づいて、プリント媒体に対して画像の出力を行なう出力ステップとを備えている。
【００７８】
したがって、上記写真プリント装置や、写真プリント装置の制御方法を用いることにより、被写体画像と背景画像とのバランスがとれたプリント媒体を利用者に提供することが可能となるという効果を奏する。
【００７９】
本発明に係るプログラムは、以上のように、前記写真プリント装置の各手段としてコンピュータを機能させるためのものであるため、前記プログラムをコンピュータシステムにロードすることによって、上記写真プリント装置を提供することが可能となるという効果を奏する。
【００８０】
本発明に係るプログラムは、以上のように、上記写真プリント装置の制御方法をコンピュータに実行させるためのものであるため、前記プログラムをコンピュータシステムにロードすることによって、上記写真プリント装置の制御方法を提供することが可能となるという効果を奏する。
【００８１】
本発明に係るプログラムを記録した記録媒体は、以上のように、前記プログラムを記録しているものであるため、前記記録媒体に記録されているプログラムをコンピュータシステムにロードすることによって、上記写真プリント装置、写真プリント装置の制御方法を提供することが可能となるという効果を奏する。
【発明を実施するための最良の形態】
【００８２】
〔実施の形態１〕
本発明の実施の一形態について図１〜図２２に基づいて説明すれば、以下のとおりである。本実施形態に係る写真プリント装置１は、利用者の写真を撮影する機能（撮影機能）、撮影した写真に対して落書きなどの編集を利用者に行わせる機能（編集機能）、及び編集された画像をプリントする機能（プリント機能）を備えているものである。なお、これらの機能は全て必須であるものではなく、例えば編集機能が省かれた構成とすることも可能である。
【００８３】
（写真プリント装置の外観的構成）
まず、図２を参照しながら、写真プリント装置１の外観について説明する。図２は、本実施形態に係る写真プリント装置１の斜視図である。図２に示すように、利用者を被写体として撮影するカメラユニット（撮影装置）２を備える本体装置３と、被写体の背景となる背景シート４とが配備されている。なお、本体装置３から背景シート４までの周囲および上部は、外部からの光を遮断する遮光幕によって覆われる。これにより利用者の写真を撮影する撮影空間５が形成される。この写真プリント装置１は撮影空間５にて編集処理も行われるものとするが、撮影空間と編集処理を行なう空間とが別々に設けられていてもかまわない。
【００８４】
装置本体３には、カメラユニット２、タッチパネル（表示装置）６、硬貨投入口７、硬貨返却口８、撮影後のプリントが排出されるプリント排出口９が設けられているが備えられている。また、本体装置３には、被写体を照明する照明装置１０として、蛍光灯、ストロボランプ、反射板（これらは、装置本体３内に設置されているため、図示せず）、および拡散板１１ａ・１１ｂが配備される。なお、照明装置１０の構成は上記には限定されない。また、タッチパネル付近にはタッチペン１２ａ・１２ｂが設けられている。また、撮影空間５内に、スピーカ（図示せず）が配備されている。また、紙幣投入口を備えた構成であってもよい。
【００８５】
また、写真プリント装置１には、撮影空間５に利用者がいることを撮影空間５の外に向けて表示するためのランプ等が外側に設けられていてもかまわない。また、撮影空間５に荷物置スペースや荷物掛けフック等が設けられていると、利用者は荷物を視界内に入れることができるので、置き引きを防止することができる。なお、上記設置物の配置位置は図面のものに限定されない。
【００８６】
タッチパネル６は、例えば液晶表示素子などのフラットパネルディスプレイやＣＲＴ（cathode ray tube）等の表示面にタッチセンサを設けて構成されている。このタッチパネル６には、撮影処理および編集処理における各種メッセージや画像などが表示される。具体的には、タッチパネル６には、デモ画面、オープニング画面、課金処理指示画面、撮影処理および編集処理における各種操作内容等のメッセージや画像、落書きなどの画像編集処理時における編集対象の画像および各種編集ツールなどが表示される。また、撮影時の撮影画面などいわゆるライブビュー画像（動画像）が表示される。これにより、カメラユニット２に向かって撮影ポーズをとる利用者は、リアルタイムで自身の姿を視認することができ、自身のポーズを確認しながら、撮影処理を行なうことができる。
【００８７】
そして、タッチパネル６の近傍（図２ではタッチパネル６の左右）には、タッチペン１２ａ・１２ｂが備えられている。利用者は、このタッチペン１２ａ・１２ｂをタッチパネル６に接触させることによって、処理の進行に応じて表示されるボタンを選択したり、落書きなどの画像描画を行ったりすることが可能となる。ここで、図２に示すように、装置本体３には、タッチペン１２ａ・１２ｂが、２つ設置されていることにより、２人の利用者が同時に落書き処理などを入力することができる。
【００８８】
なお、ここでは、一つのタッチパネル６を撮影処理用及び編集処理用として設けているが、それぞれ別に設けてもかまわない。
【００８９】
硬貨投入口７は、利用者がプレイ料金として所定金額の硬貨を投入するための投入口である。硬貨返却口８は、釣り銭が生じた場合や、硬貨が投入された後でリセットされた場合に、硬貨を利用者に対して返却するための返却口である。また、装置本体３の内部には、利用者から徴収した硬貨を蓄積する硬貨容器（図示せず）が設けられている。
【００９０】
プリント排出口９は、撮影処理および編集処理を終えた後に、後述のプリンタ（出力手段）２５によって画像がプリントされた写真プリント紙が排出される箇所である。
【００９１】
背景シート４は、被写体の背景となるシートであって、本実施形態では、例えば無地のシートが用いられる。
【００９２】
蛍光灯（図示せず）は、撮影時の照明として機能するとともに、通常時の撮影空間５の照明としても機能する。具体的には、蛍光灯は、撮影時にカメラユニット２が撮影するライブビューにおける光量、つまり、利用者が撮影の構図やポーズを考えている期間の光量、を確保する。それとともに、例えば、「写りの良い写真がとれそう」という印象を利用者に与えるといったような、照明による撮影空間の演出を行なう。蛍光灯は、ここでは、本体装置３内において、カメラユニット２の両側に配備される。
【００９３】
ストロボランプ（図示せず）は、撮影時の写真閃光灯として機能するものであり、本体装置３内において、カメラユニット２の両側に配備される。
【００９４】
反射板（図示せず）は、蛍光灯やストロボランプからの光をその反射するよう機能するものであり、光を拡散板１１ａ・１１ｂの方向に導くように設置される。反射板は、反射面が、例えばステンレス等から構成され、形状としては、拡散板１１ａ・１１ｂに光を集められるような形状であればいよい。
【００９５】
拡散板１１ａ・１１ｂは、反射板にて反射された光を拡散して撮影空間５に出射するよう機能するものである。拡散板１１ａ・１１ｂは、例えば、薄い乳白色のアクリル板などによって構成されている。形状としては、本実施形態では、発光面が略平面状となっており、また、鉛直方向に長い長方形である。
【００９６】
なお、必要に応じて、照明装置１０からの光量が変化したり、照明方向が変更したりするようになっていてもよい。
【００９７】
スピーカ（図示せず）は、利用者に対して各種操作上のガイダンス音声や効果音、ＢＧＭ（back ground music）などを出力するものである。
【００９８】
（写真プリント装置の機能的説明）
次に、上記写真プリント装置１の機能的な構成について、図１に示すブロック図を参照しながら説明する。同図に示すように、写真プリント装置１は、前記したカメラユニット２、背景シート４、タッチパネル６、タッチペン１２ａ・１２ｂ、及び照明装置１０に加えて、制御装置４０、記憶装置２０、外部ディスクドライブ２１、電源装置２２、課金処理部２３、ＩＤタグリーダ／ライタ２４、プリンタ（出力装置）２５、受信部（受信装置）２６、およびプリント紙ユニット３０を備えている。
【００９９】
制御装置４０は、写真プリント装置１内における上述した各種構成の動作を統括的に制御する。また、制御装置４０は、分離処理部（分離手段）４１、被写体数検出部（検出手段）４２、背景画像指示部４３、背景情報取得部４４、配置指示情報取得部４５、サイズ調整部（調整手段）４６、画像合成部（合成手段）４７、タッチパネル制御部４８、判定部（判定手段）４９、写真画像取得部（写真画像設定手段）５０、画像編集処理部５１、背景変更指示部５２、画像挿入指示部５３、および、書込処理部５４を備えている。なお、制御装置４０内の各部の処理内容については、後述する。
【０１００】
また、上記配置指示情報取得部４５とタッチパネル制御部４８とが、特許請求の範囲に記載の領域表示手段に対応する。さらに、背景画像指示部４３と背景情報取得部４４とが、特許請求の範囲に記載の選択手段に対応する。また、背景変更指示部５２と背景情報取得部４４とが、特許請求の範囲に記載の変更手段に対応する。さらに、画像挿入指示部５３と背景情報取得部４４とが、特許請求の範囲に記載の挿入手段に対応する。
【０１０１】
制御装置４０は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置４０がインターネットなどの通信ネットワークに接続された構成とする場合、この通信ネットワークを介して上記プログラムをダウンロードしてハードディスクなどにインストールして実行する形態なども考えられる。
【０１０２】
記憶装置（記憶部）２０は、ハードディスクなどの不揮発性の記憶装置によって構成されるものである。この記憶装置２０に記憶される内容としては、上記した制御プログラム、ＯＳ（operating system）プログラム、およびその他各種プログラム、カメラユニット２における動作設定値、撮影した画像および編集した画像の画像データ、背景画像のデータ、配置指示画像のデータ、背景画像に応じた被写体の大きさに関するデータ（情報）等が挙げられる。カメラユニット２における動作設定値としては、装置出荷時やメンテナンス時等に設定されるホワイトバランスの値、撮影画像の明暗などを調整する際の画像処理に関する各種パラメータ値などが挙げられる。
【０１０３】
ここで、配置指示画像とは、背景画像に応じた被写体の配置を示すための画像であって、背景画像の上に重ね合わせてタッチパネル６に表示される画像のことである。このように、配置指示画像を用いる理由は、以下の通りである。
【０１０４】
背景画像によっては、被写体の配置が重要となる場合がある。つまり、背景画像によっては、被写体の最適な立ち位置やポーズが存在する場合がある。このような背景画像を用いる場合、被写体の配置が最適な配置からずれると、被写体と背景画像とのバランスが悪くなり、不自然な合成画像となってしまう。そこで、本実施の形態では、背景画像に応じた被写体の配置を示すための画像として、配置指示画像を用いる。
【０１０５】
また、背景画像に応じた被写体の大きさに関する情報とは、背景画像に対する被写体の好適な大きさを示した情報を指す。つまり、背景画像によっては、背景画像に占める被写体の大きさを大きくした方がよいものや、逆に、小さくした方がよいものがあるため、予め、背景画像毎に、背景画像に応じた被写体の大きさに関する情報を持たせておく。
【０１０６】
さらに、背景画像としては、２次元画像を３次元的に表示した画像を用いることが好ましい。このような背景画像を用いることにより、立体感のある出力画像を利用者に提供できる。さらに、３次元的に表示した画像の内、詳しくは後述するが、所謂トリック画像（だまし絵）を用いることが好ましい。
【０１０７】
外部ディスクドライブ２１は、ＣＤ−ＲＯＭ、ＣＤ−Ｒ、ＤＶＤ−ＲＯＭ、ＤＶＤ−ＲＡＭなどの外部ディスクを読み書きするドライブ装置である。外部ディスクドライブ２１の代わりに、半導体メモリカードのリーダ／ライタなどを用いることもできる。なお、この外部ディスクドライブ２１が、記憶装置の変わりに記憶部として、動作してもよい。
【０１０８】
電源装置２２は、写真プリント装置１内における上述した各種構成に対して電力供給を行なうためのものである。
【０１０９】
課金処理部２３は、硬貨投入口７からの代金投入、及び硬貨返却口８からの返却処理などを制御するものであり、利用者から徴収する課金に関する処理を行なうブロックである。課金処理部２３による課金状況に応じて、制御装置４０が該当利用者に対する動作を制御する。
【０１１０】
ＩＤタグリーダ／ライタ２４及びプリンタ２５は、プリンタユニットを構成しており、このプリンタユニットに対して、写真プリントの出力媒体となるプリント紙（プリント媒体）３２及びＩＤタグ３１がプリント紙ユニット３０としてセットで納入されるようになっている。
【０１１１】
プリンタ２５は、出力すべき画像データが制御装置４０から送られてくると、その画像データに基づいてプリント紙３２に印刷を行なうものである。このプリンタ２５としては、例えば昇華型プリンタが用いられる。なお、昇華型プリンタを用いる場合には、プリント紙３２及びＩＤタグ３１に加えて、昇華型用インクフィルムがセットとなって納入されることになる。
【０１１２】
ＩＤタグリーダ／ライタ２４は、ＩＤタグ３１に記録されている各種識別情報を読み出して制御装置４０に出力する。ＩＤタグ３１は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【０１１３】
制御装置４０は、ＩＤタグリーダ／ライタ２４で読取った識別情報に基づいて、装着されたプリント紙３２及びインクフィルムが、当該写真プリント装置１において利用可能なものであるかを判定し、利用可能である場合にのみプリンタ２５を動作可能とする。すなわち、写真プリント装置１において指定されているプリント紙３２及びインクフィルム以外は使用できないように設定されていることになる。
【０１１４】
また、ＩＤタグ３１に記録されている用紙枚数情報に基づいて、プリント紙３２を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ３１に記録されている用紙枚数情報も書き換えるようにする。これにより、用紙を使い切った場合には、ＩＤタグ３１に記録されている用紙枚数情報も０となり、このＩＤタグ３１を無効にすることが可能となる。
【０１１５】
また、ＩＤタグ３１に記録されている用紙種類情報や、インク固有の色情報を読み出すことによって、これらを考慮して画像データの色成分などを補正することにより、その用紙やインクフィルムに的確な画像出力を行なうことが可能となる。
【０１１６】
ＩＤタグ３１としては、無線によりデータ通信を行なうことが可能な非接触型ＩＤタグと、端子が設けられた接触型ＩＤタグとがあり、ＩＤタグリーダ／ライタ２４としては、これらのどちらか一方あるいは両方に対応したものとなる。
【０１１７】
なお、上記の例では、ＩＤタグを利用して利用可能なプリント紙であるか否かを確認するようになっているが、これに限定するものではなく、例えば、プリント紙及びインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【０１１８】
なお、上記のプリント紙３２としては、通常の紙状媒体である紙状シートであってもよいし、粘着シート及び該粘着シールの粘着面に貼り付けられている剥離シートからなるシールシートであってもよい。
【０１１９】
なお、図示しないが、出入り口用に設けられた遮光膜（出入り口用カーテン）が制御装置４０によって制御されるような構成でもよい。出入り口カーテンは、撮影処理時において外部からの光が撮影空間内に入ってくることを防ぐために設けられており、遮光性を有するシートなどによって構成されるものである。そして、制御装置４０は、例えば、出入り口カーテンの開閉を次のように制御する。
【０１２０】
まず、客待ち状態においては、出入り口カーテンを開放した状態に制御する。そして、利用者による所定の金額の投入が行われたことを課金処理部２３が確認すると、この時点で出入り口カーテンを閉じる制御を行なう。このとき、例えば、撮影空間５に利用者がいることを撮影空間５の外に向けて知らせるための、接客ランプを点灯させてもよい。接客ランプは、例えば、撮影空間５に利用者がいる間には、撮影中との文字が点灯し、撮影空間５から利用者がいなくなれば、その文字が消灯するようになっていればよい。その後、制御装置４０は、撮影処理、及び編集処理が終了したことが確認されると、この時点で出入り口カーテンを開放する制御を行なう。
【０１２１】
また、出入り口カーテンが開放されているべき状態である時に利用者によって無理矢理カーテンが閉められようとされた場合や、出入り口カーテンが閉じられているべき状態である時に利用者によって無理矢理カーテンが開けられようとした場合には、周囲に聞こえるような音量で警報を発するとともに、撮影の進行を停止するように制御するようになっていてもよい。このようにすることによって、密閉空間での犯罪を防止したり、写真プリント装置に対するいたずらを防止したりすることができる。
【０１２２】
また、図示しないが、上述した荷物置きスペースや荷物フックに、例えば重量センサなどを設けた構成としてもよい。この場合、利用者がこの荷物置きスペースに荷物を置いたり、荷物フックに荷物をかけたりすると、荷物が置かれたことを装置側で認識することが可能となる。よって、例えば撮影や編集終了後、所定の時間が経過した後も荷物が置かれた状態となっている場合には、利用者が荷物を忘れていることが予想されるので、利用者に対して荷物の置き忘れの警報を発することが可能となる。また、撮影や編集進行中において、荷物が取り除かれたことを検出した場合には、利用者がプレイに夢中になっている間に置き引きが行われたことが予想されるので、警報を発することが可能となる。
【０１２３】
受信部２６は、外部のサーバ９０から送信されてくる背景画像を受信する。つまり、写真プリント装置１は、図３に示すとおり、受信部２６を介して、インターネット等の通信網と接続されており、サーバからデータの取得が可能な構成となっている。なお、写真プリント装置１は、受信部２６だけではなく、送信部を備えた構成として、自装置のデータをサーバ９０に送信してもよい。
【０１２４】
（全体処理の流れ）
次に、上記写真プリント装置１における処理の流れについて、図４に示すフローチャートを参照しながら説明する。まず、ステップ１（以降、Ｓ１のように称する）において、紙幣および／または硬貨の投入があるか否かの確認を行なう。ここで、利用者による、紙幣の投入や硬貨投入口７から硬貨の投入があることを確認すると（Ｓ１においてＹＥＳ）、次のＳ２に進む。ここで、紙幣や硬貨の投入を確認できない場合には（Ｓ１においてＮＯ）、紙幣や硬貨の投入を待つ。すなわち、客待ち状態を維持する。この客待ち状態では、例えば、タッチパネル６に画面等を表示させておいてもよい。
【０１２５】
Ｓ２では、撮影処理が行われる。つまり、写真撮影処理が行われ、静止画像が作成される。この撮影処理については、後述する。
【０１２６】
そして、Ｓ３において、Ｓ２における撮影開始からの経過時間が設定時間（ここでは、２分）を超えたか否かを判断する。超えていない場合には（Ｓ３においてＮＯ）、Ｓ２における撮影処理が繰り返し行われる。なお、ここでは、経過時間が２分をオーバーした場合に撮影処理の終了を行なう設定になっているが、例えば、撮影枚数が累積限度なった場合や、利用者によって撮影処理の終了指示が出されることにより、撮影処理が終了されるようになっていてもよい。ここで撮影処理によって生成された画像は、記憶装置２０に記憶される。
【０１２７】
Ｓ３において、経過時間が２分を超えたことが確認されると（Ｓ３においてＹＥＳ）、Ｓ４に進む。
【０１２８】
Ｓ４では、編集処理が行われる。ここでは、上記タッチパネル制御部４８は、記憶装置２０から編集対象となる画像、すなわち撮影処理によって生成された画像を読み出し、タッチパネル６に、編集対象となる画像、すなわち撮影処理によって生成された画像を表示させる。この画像に対してタッチペン１２ａ．１２ｂを用いて落書きなどの編集処理が行われる。この画像には、例えば、編集処理を行なうためのツール類の選択領域が表示されてもよい。ツール類としては、例えば複数の種類からなるペンおよびその色、消しゴム、および複数のスタンプなどが挙げられる。
【０１２９】
また、編集対象となる画像には、編集対象となる画像を選択するための選択画像が表示されてもよい。利用者は、タッチペンによって選択画像をタッチすることによって、中央に編集対象として表示される画像を切り替えることが可能となっていてもよい。なお、この選択画像は、上記の撮影処理において、複数回の撮影が行われた場合の各撮影時における画像に相当するものである。
【０１３０】
そして、Ｓ５において、Ｓ４における編集開始からの経過時間が設定時間（ここでは、２分）を超えたか否かを判断する。超えていない場合には（Ｓ５においてＮＯ）、Ｓ４に戻って編集処理を継続する。なお、ここでは、経過時間が２分をオーバーした場合に撮影処理の終了を行なう設定になっているが、例えば、利用者によって編集処理の終了指示が出されることにより、編集処理が終了されるようになっていてもよい。この経過時間がある一定時間になった時点で、まだ編集処理が行われていない選択画像があれば、タッチパネル６に「落書き忘れ」の画像データがある旨の表示を行ってもよい。または、編集処理の時間を、編集処理を行なう対象の画像数で割って各画像に与えられた時間とし、各画像に与えられた時間が経過する毎に「次の画像の落書きをしない？」といった催促をタッチパネル６に表示させてもよい。上記のような表示により、利用者は、全ての画像に対して、編集処理忘れを防止することができる。また、利用者による編集処理の作業が終了すると、利用者の指示に基づいて、または自動的に、編集処理した各画像をどのような配置でプリント紙３２に印刷するのかが決定されてもよい。
【０１３１】
Ｓ５において、経過時間が２分を超えたことが確認されると（Ｓ５においてＹＥＳ）、Ｓ６に進む。
【０１３２】
Ｓ６では、印刷処理が行われる。Ｓ４において編集が施された画像データに基づいた画像を、プリンタ２５がプリント紙３２に対して出力し、このプリント紙がプリント排出口９から排出される。
【０１３３】
以上のシーケンスによって、写真プリント装置１における一連の動作が終了する。
【０１３４】
ここで、上記制御装置４０内の各機能ブロック４１〜５４について図１に基づいて説明する。
【０１３５】
分離処理部４１は、まず、カメラユニット２で撮影された動画像を取得する。そして、取得した動画像から、リアルタイムに利用者である被写体の画像を分離する。つまり、カメラユニット２では、被写体の背景を含めて被写体の撮影が行われるため、分離処理部４１により、カメラユニット２で撮影された画像から被写体画像（つまり、被写体画像の領域）を分離する。これにより、カメラユニット２で撮影された画像から、背景シート４の画像領域が除かれ、被写体画像のみが得られる。また、分離処理部４１は、被写体画像が動画像中のどの位置を占めているかといった被写体画像の配置領域情報を、分離処理時に取得する。
【０１３６】
そして、分離処理部４１は、上記分離した被写体画像を、被写体数検出部４２およびサイズ調整部４６に送る。また、上記被写体画像の配置領域情報を、サイズ調整部４６に送る。なお、本実施の形態では背景シート４を単色としているため、上記被写体画像の分離は、例えばクロマキー処理により行なえばよい。
【０１３７】
被写体数検出部４２は、分離処理部４１から上記分離した被写体画像を取得する。そして、被写体数検出部４２は、この被写体画像に基づいて、被写体画像に含まれる被写体の数を検出する。ここで、被写体の数の検出においては、例えば、テンプレートマッチングの手法を用いて行えばよい。また、被写体数検出部４２は、検出した被写体の数を背景画像指示部４３に送る。
【０１３８】
なお、テンプレートマッチングとは、人の顔の配色（髪、目の色、唇の色、肌の色、これらの位置）および輪郭を再現したテンプレート画像を用意し、撮影動画像上に上記テンプレート画像を走査させ、上記テンプレート画像と類似する領域を検出することにより、撮影動画像における人体の顔面領域を検出する手法である。なお、被写体の数の算出は、テンプレートマッチングに限られるものではなく、被写体の数を算出する手法であればいかなる手法であっても構わない。
【０１３９】
背景画像指示部４３は、被写体の数の情報に基づいて、背景情報取得部４４に対して、被写体の数に応じた背景の取得を指示する。ここで、被写体の数に応じた背景とは、被写体の数に適した背景のことを指している。つまり、背景によっては、被写体の数が一人であることが好ましい背景や、複数人であることが好ましい背景等が存在するため、背景画像指示部４３が、背景情報取得部４４に対して被写体の数に適した背景の取得を指示する。
【０１４０】
背景情報取得部４４は、まず、背景画像指示部４３からの指示を受け付ける。そして、背景情報取得部４４は、上記記憶装置２０に記憶された背景から、被写体の数に応じた背景画像を取得する。なお、被写体の数に応じた背景画像の取得にあたっては、例えば記憶装置２０内に背景画像と関連付けて、好ましい被写体の数等の情報を記憶させておき、この情報に基づいて取得すればよい。また、背景情報取得部４４は、取得した背景画像に応じた被写体の大きさに関する情報も、背景画像とあわせて取得する。
【０１４１】
そして、背景情報取得部４４は、背景画像を取得した後、サイズ調整部４６に対して、取得した背景画像を送る。また、背景情報取得部４４は、背景画像とあわせて、背景画像に応じた被写体の大きさに関する情報についても、サイズ調整部４６に送る。さらに、背景情報取得部４４は、配置指示情報取得部４５に対して、取得した背景画像を特定するための情報を通知する。ここで、背景画像を特定するための情報とは、記憶装置２０に記憶されている背景画像のうち、どの背景画像を背景情報取得部４４が取得したかを特定できる情報を指す。
【０１４２】
なお、上記被写体の数に応じた背景画像を複数、一覧表としてタッチパネル６に表示させ、利用者に選択させる構成とすることがより好ましい。この場合、利用者は好みの背景画像を選択できることとなる。
【０１４３】
配置指示情報取得部４５は、背景情報取得部４４から、上記背景画像を特定するための情報を受け付ける。そして、配置指示情報取得部４５は、この情報に基づいて、記憶装置２０から上述した配置指示画像を取得する。さらに、配置指示情報取得部４５は、サイズ調整部４６に対して、取得した配置指示画像を送る。
【０１４４】
サイズ調整部４６は、分離処理部４１から被写体画像および被写体画像の配置領域情報を、背景情報取得部４４から背景画像を、配置指示情報取得部４５から配置指示画像を受け付ける。そして、サイズ調整部４６は、上記被写体画像の大きさ、および、上記背景画像の大きさの少なくとも一方を調整する。なお、背景画像の大きさを調整する場合には、サイズ調整部４６は、配置指示画像も背景画像と同じ比率で、その大きさを調整する。また、サイズ調整部４６は、被写体画像の大きさを調整する場合には、被写体画像の配置領域情報も、被写体画像の調整に伴って変更する。なお、以下では、説明の便宜上、変更後の被写体画像の配置領域情報を、調整後の被写体画像の配置領域情報とも称する。
【０１４５】
より詳しくは、サイズ調整部４６は、被写体画像の大きさと背景画像の大きさとのバランスが保たれるように、少なくとも一方の画像の大きさを調整する。ここで、上記大きさの調整について説明する。
【０１４６】
サイズ調整部４６は、被写体を構成する要素（例えば、顔）の大きさ等に基づき、上記被写体画像の大きさを認識する。このように被写体画像の大きさを認識するのは、以下の理由による。つまり、カメラユニット２により、被写体の体全体が撮影されている場合と、被写体の顔部分のみがアップで撮影されている場合とでは、被写体画像の面積が例えば同じような値であっても、被写体を構成する要素の大きさは、両者において全く異なるものとなるためである。なお、この場合も、パターンマッチングの手法等を用いた上で、被写体画像の大きさ認識すればよい。
【０１４７】
そして、サイズ調整部４６は、上記被写体画像の大きさ、および、上述した、背景画像毎に定められた背景画像に応じた被写体に関する情報に基づいて、少なくとも一方の画像の大きさを調整する。例えば、被写体画像の大きさに合わせて、背景画像の大きさを調整したり、背景画像の大きさに合わせて、被写体画像の大きさを調整する。あるいは、背景画像の大きさ所定の大きさに調整した後、この調整後の背景画像に合わせて、被写体画像の大きさを調整する構成としてもよい。
【０１４８】
なお、背景画像に関しては、背景画像の中心画素を基準として（つまり、中心画素位置を固定して）、大きさの調整を行なうことが好ましい。また、被写体画像に関しても同様に、上記分離処理前の動画像の中心画素に相当する位置を基準として、大きさ調整を行なうことが好ましい。
【０１４９】
上記画像の大きさの調整を行った後、サイズ調整部４６は、調整後の、背景画像、配置指示画像、および被写体画像を、画像合成部４７に送る。また、判定部４９に対して、調整後の、配置指示画像および被写体画像の配置領域情報を送る。
【０１５０】
ところで、被写体画像の大きさ調整に関しては、被写体画像を、所謂デジタルズーム処理により調整してもよいし、カメラユニット２の焦点距離を変化させて画角を変更（所謂光学ズーム処理）してもよい。
【０１５１】
また、上記画像の大きさ調整に関しては、利用者からの操作に応じて、少なくとも一方の画像の大きさを調整する構成としてもよい。この場合、例えば、タッチパネル６に、上記操作を受け付ける画面表示を行い、利用者からの操作を受け付ける構成としておけばよい。
【０１５２】
また、背景画像を調整するのか、被写体画像を調整するのか、あるいは、背景画像および被写体画像を調整するのかは、利用者による判断、あるいは、装置の提供元が予め定めた設定に応じて、規定しておけばよい。さらには、被写体画像の大きさにより判断してもよい。
【０１５３】
画像合成部４７は、サイズ調整部４６から、調整後の、背景画像、配置指示画像、および被写体画像を受け付ける。そして、画像合成部４７は、これら３つの画像を合成する。この場合、画像合成部４７は、背景画像、被写体画像、配置指示画像の順で、配置指示画像が最前面となるように画像の合成を行なう。そして、画像合成部４７は、この合成画像を、タッチパネル制御部４８に送る。なお、配置指示画像の代わりに被写体画像が最前面となるように画像の合成を行なってもよい。
【０１５４】
また、画像合成部４７は、上記の画像合成とは別に、調整後の、背景画像と被写体画像とを合成する。つまり、配置指示画像を除いて、画像合成を行なう。
【０１５５】
なお、画像合成部４７は、サイズ調整を行なう前の被写体画像と背景画像とをサイズ調整部４６から取得すると共に両画像を合成しておき、サイズ調整部４６からサイズ調整後の両画像を受け付けるまで、サイズ調整前の合成画像をタッチパネル６に表示する構成としてもよい。これにより、タッチパネル６に、すぐに利用者の画像が表示でき、サイズ調整処理が済むまでの間、利用者の退屈感をなくすことができる。
【０１５６】
タッチパネル制御部４８は、上記画像合成部４７から合成画像を受け付ける。そして、タッチパネル制御部４８は、タッチパネルに上記合成画像を表示させる。これにより、タッチパネル６に、上記合成画像がライブビュー表示される。
【０１５７】
ここで、タッチパネル６には、配置指示画像と被写体画像との重なりの状態が表示される。したがって、利用者は、この表示に基づいて、撮影位置やポーズを変更することが可能となる。それゆえ、背景との関係で、面白い構図にすることができる。
【０１５８】
判定部４９は、調整後の配置指示画像および被写体画像の配置領域情報を受け付ける。そして、この配置指示画像と被写体画像の配置領域情報とに基づいて、判定部４９は、被写体画像が配置指示画像どおりの位置にあるか否かを判定する。言い換えれば、判定部４９は、上記配置指示画像で指示した領域であって、被写体の配置目標を示した被写体配置領域に、前記被写体画像（つまり、撮影対象となる被写体）が位置したか否かを判定する。
【０１５９】
判定部４９での判定方法としては、調整後の配置指示画像についての配置領域情報と、被写体画像の配置領域情報とから、両領域の位置的な重なりを判断し、例えば所定の率以上で重なっていれば、被写体画像が配置指示画像どおりの位置にあると判断する。
【０１６０】
そして、判定部４９は、被写体画像が配置指示画像どおりの位置にあると判定した場合には、利用者に対して、写真撮影（静止画像撮影）の許可を与える。この場合、判定部４９は、タッチパネル制御部４８を介して、タッチパネル６に撮影許可を表示するオブジェクトを表示する。
【０１６１】
ここで、利用者がタッチパネル６を介して撮影指示を写真プリント装置１に与えた場合、ストロボランプにより閃光がたかれ、被写体の写真撮影が行われる。また、上記撮影指示の情報は、タッチパネル制御部４８を介して、写真画像取得部５０に伝えられる。この撮影指示の情報が伝えられると、写真画像取得部５０は、所定のタイミングで、閃光がたかれた際の合成画像（被写体画像と背景画像との合成画像）を、画像合成部４７から取得する。そして、写真画像取得部５０は、上記取得した合成画像を、画像編集処理部５１に送る。そして、画像編集処理部５１は、写真画像取得部５０から上記合成画像を受け付ける。
【０１６２】
なお、上記においては、写真画像取得部５０から、直接、上記合成画像が画像編集処理部５１に送られる構成を示したが、これに限定されるものではない。つまり、写真画像取得部５０が、画像合成部４７から取得した合成画像を記憶装置２０に記憶させ、画像編集処理部５１が記憶装置２０から上記合成画像を取得する構成としてもよい。
【０１６３】
画像編集処理部５１は、利用者による、合成画像の編集処理を受け付ける。例えば、タッチペン１２ａ・１２ｂにより入力された画像を、タッチパネル制御部４８を介して、上記合成画像に重ね合わせる。そして、画像編集処理部５１は、編集後の画像を、プリンタ２５に送る。これにより、編集後の画像がプリント紙に形成される。
【０１６４】
次に、背景変更指示部５２について説明する。背景変更指示部５２は、背景情報取得部４４に対して、背景画像の変更指示を送る。この指示を受けた背景情報取得部４４は、記憶装置２０から、新たな背景画像を取得して、サイズ調整部４６に送る。ここで、変更後の背景画像としては、変更前の背景画像と関連性を有する画像を用いてもよいし、あるいは、全く関連性を有しない背景画像を用いてもよい。
【０１６５】
また、背景画像の変更は、利用者が撮影指示を与えた後であって、写真撮影がなされる前に行われることが好ましい。この場合には、利用者に対して、タッチパネル６で確認した合成画像と異なる画像を提供することができる。したがって、利用者を楽しませることが可能となる。なお、この背景画像の変更処理方法については、後述する。
【０１６６】
画像挿入指示部５３は、背景画像の余白に、他の背景画像を挿入する。この挿入する背景画像としては、２次元画像を３次元的に表した画像としてもよい。
【０１６７】
書込処理部５４は、受信部２６が受信したサーバ９０からの背景画像を取得し、この背景画像を記憶装置２０に書き込む。これにより、写真プリント装置１で利用可能な背景画像の数を増やすことが可能となる。
【０１６８】
また、上記写真プリント装置１は、利用者が、タッチパネル６等を用いて、背景画像指示部４３により選択された背景画像を、他の背景画像に変更することも可能な構成としておく。この場合、まず、利用者からの背景画像の変更に関する指示を受け付けたタッチパネル制御部４８が、記憶装置２０に記憶された背景画像を、例えば一覧表示により利用者に対して表示する構成としておく。つまり、背景選択画面をタッチパネル６に表示する。そして、利用者からの、新たな背景画像の選択指示をタッチパネル制御部４８が受け付けると、背景情報取得部４４にこの指示を伝え、背景情報取得部４４が記憶装置２０から選択された背景画像を取得する構成としておく。
【０１６９】
ところで、写真プリント装置１においては、被写体数検出部４２および背景画像指示部４３の機能に関し、該機能の動作をオン・オフできる構成としておくことが好ましい。例えば、この機能をオフした場合には、被写体数検出部４２が被写体数を検出しない構成となる。この場合、利用者が、タッチパネル６に表示された、記憶装置２０から読み出された背景画像の一覧（つまり、背景選択画面）を参照し、好みの背景画像を選択すればよい。
【０１７０】
また、配置指示情報取得部４５、判定部４９、背景変更指示部５２、および、画像挿入指示部５３の機能に関しても、それぞれの機能の動作をオン・オフできる構成としておくことが好ましい。
【０１７１】
例えば、配置指示情報取得部４５の機能をオフさせた場合には、利用者が、自ら立ち位置やポーズを考えればよい。また、判定部４９の機能をオフさせた場合には、配置指示画像で指示した被写体配置領域に、前記被写体画像（つまり、撮影対象となる被写体）が位置していなくても、利用者は写真撮影が可能となる。さらに、背景変更指示部５２の機能をオフさせた場合には、背景画像の変更処理が行われなくなる。この場合、利用者がタッチパネル６で確認した合成画像に応じた写真画像が、利用者に提供されることとなる。また、画像挿入指示部５３の機能をオフさせた場合には、上述した、画像の挿入処理が行われなくなる。
【０１７２】
次に、図４の撮影処理（Ｓ２の処理）の一例について、図５に基づいて説明する。なお、図５は、写真プリント装置１における撮影処理のフローを示したフローチャートである。また、ここでは、被写体数検出部４２および背景画像指示部４３の機能、配置指示情報取得部４５の機能、判定部４９の機能、背景変更指示部５２の機能、および、画像挿入指示部５３の機能をオフした場合を説明する。
【０１７３】
まず、タッチパネル制御部４８により、タッチパネル６に背景画像選択画面が表示される（Ｓ１１）。Ｓ１１の後は、タッチパネル制御部４８により、背景画像を選択したか否かが判断される（Ｓ１２）。
【０１７４】
背景画像が選択されたと判断された場合には（Ｓ１２においてＹｅｓ）、分離処理部４１が、被写体画像の分離処理を行なう（Ｓ１３）。そして、Ｓ１３の後は、サイズ調整部４６が上述したサイズ調整処理を行なう（Ｓ１４）。また、Ｓ１４の後は、画像合成部４７が、サイズ調整後の、選択した背景画像と被写体画像とを合成する（Ｓ１５）。
【０１７５】
一方、背景画像が選択されていないと判断された場合には（Ｓ１２においてＮｏ）、背景選択表示画面の表示を行っての経過時間が、１０秒を超えたか否かが判断される（Ｓ２０）。１０秒を超えていないと判断された場合には（Ｓ２０においてＮｏ）、再び、Ｓ１１に戻る。一方、１０秒を超えたと判断された場合には（Ｓ２０においてＹｅｓ）、Ｓ１３に進み、分離処理が行なわれる。なお、この場合には、所定の背景画像が背景画像として用いられることとなる。
【０１７６】
Ｓ１５の後は、タッチパネル６に表示された撮影ボタン（オブジェクト）が、押し下げられたか否かが判断される（Ｓ１６）。撮影ボタンが押し下げられたと判断された場合には（Ｓ１６においてＹｅｓ）、ストロボを閃光させるなどして、被写体の写真撮影が行われる（Ｓ１７）。そして、Ｓ１７の後は、サイズ調整が行われた合成画像であって、写真撮影が行われた際の被写体画像と、背景画像との合成画像を記憶装置に保存する（Ｓ１８）。一方、撮影ボタンが押し下げられていないと判断された場合には（Ｓ１６においてＮｏ）、撮影許可表示がタッチパネル６で表示されてからの経過時間が、５秒を超えたか否かが判断される（Ｓ２１）。そして、５秒を超えていないと判断された場合には（Ｓ２１においてＮｏ）、再度、Ｓ１１に戻る。また、５秒を超えたと判断された場合には（Ｓ２１においてＹｅｓ）、Ｓ１７に進み、写真撮影を行なう。
【０１７７】
Ｓ１８の後は、合成画像の保存枚数が、８枚以上になったか否かが判断される（Ｓ１９）。この判断は、例えば、タッチパネル制御部４８によって行なう。保存枚数が８枚以上となった場合には（Ｓ１９においてＹｅｓ）、撮影処理を終了する。また、保存枚数が８枚以下の場合には（Ｓ１９においてＮｏ）、撮影処理開始からの経過時間が２分を超えたか否かが判断される（Ｓ２２）。２分を超えていない場合には（Ｓ２２においてＮｏ）、再度、Ｓ１１に戻る。一方、２分を超えた場合には（Ｓ２２においてＹｅｓ）、撮影処理を終了する。
【０１７８】
次に、上記図５のサイズ調整処理（Ｓ１４の処理）について、図６に基づいて説明する。なお、図６は、サイズ調整処理のフローを示したフローチャートである。
【０１７９】
まず、サイズ調整部４６により、被写体を構成する要素（例えば、顔）の大きさ等に基づき、上記被写体画像の大きさを認識する（Ｓ３１）。Ｓ３１の後は、サイズ調整部４６により、上記被写体画像の大きさ、および、上述した、背景画像毎に定められた背景画像に応じた被写体に関する情報に基づいて、少なくとも一方の画像の大きさを調整する（Ｓ３２）。Ｓ３２の後は、サイズ調整が終了したか否かが判断される（Ｓ３３）。この判断は、サイズ調整部４６が行えばよい。
【０１８０】
サイズ調整が終了したと判断された場合には（Ｓ３３でＹｅｓ）、サイズ調整処理を終了する。一方、サイズ調整処理が終了していないと判断された場合には（Ｓ３３でＮｏ）、Ｓ３２に戻り、引続きサイズ調整処理を行なう。
【０１８１】
ここで、サイズ調整部４６により被写体画像の大きさのみを調整した場合における、タッチパネル６で表示される、合成画像について説明する。なお、以下の図７等で示す背景画像は、トリック画像と呼ばれている画像で、現実には存在しない状況を描写した画像である。
【０１８２】
図７に、調整前の合成画像を示す。この図では、背景画像となる階段画像と、被写体画像とが、単に重なっているだけである。したがって、階段画像と被写体画像との関連性を想像し難く、面白みに欠けている。なお、この場合には、タッチパネル制御部４８は、サイズ調整中であることをタッチパネル６に表示させると共に、利用者からの写真撮影の指示を受け付けない。
【０１８３】
図８に、調整後の合成画像を示す。なお、この調整では、カメラユニット２の焦点距離を変化させた場合（つまり、光学ズーム処理を行なった場合）の合成画像を示している。この図では、階段画像と被写体画像との重なり具合により、あたかも被写体が階段を登っているような合成画像となっている。なお、この場合には、タッチパネル制御部４８は、サイズ調整が終了し、撮影が可能であることをタッチパネル６に表示させると共に、利用者からの写真撮影指示を受け付ける。このため、タッチパネル制御部４８が、タッチパネル６に撮影ボタンが使用可能である旨の表示を、例えば撮影ボタンを所謂アクティブ表示させることにより行なっておく。なお、撮影ボタンの近くに、撮影可能な残り時間の表示を合わせて行なってもよい。
【０１８４】
次に、サイズ調整部４６により背景画像の大きさのみを調整した場合における、タッチパネル６で表示される、合成画像について説明する。
【０１８５】
図９に、調整前の合成画像を示す。この図では、階段画像の大きさが、被写体画像の大きさに比べて小さく、違和感のある合成画像となっている。なお、この場合には、タッチパネル制御部４８は、サイズ調整中であることをタッチパネル６に表示させると共に、利用者からの写真撮影の指示を受け付けない。
【０１８６】
そして、同図の状態に基づいてサイズ調整を行なうと、上記図８で示したような合成画像が得られることとなる。なお、上記の階段画像は、図７から図９にも示すとおり、２次元画像を３次元的に表現した画像であるため、立体感のある合成画像が得られる。
【０１８７】
次に、図４の撮影処理（Ｓ２の処理）の他の例について、図１０に基づいて説明する。なお、図１０は、写真プリント装置１における撮影処理の他のフローを示したフローチャートである。また、ここでは、配置指示情報取得部４５の機能、判定部４９の機能、背景変更指示部５２の機能、および、画像挿入指示部５３の機能をオフした場合を説明する。つまり、被写体数検出部４２および背景画像指示部４３の機能をオンさせた場合を説明する。さらに、被写体の数に応じた背景画像を複数、タッチパネル６に表示させると共に、利用者に背景画像の選択を行なってもらう場合について説明する。
【０１８８】
まず、分離処理部４１が、被写体画像を分離する（Ｓ４１）。そして、Ｓ４１の後は、被写体数検出部４２が被写体の数を検出する（Ｓ４２）。Ｓ４２の後は、背景画像指示部４３が、被写体の数に応じた背景画像の選択指示を、背景情報取得部４４に対して行なう。そして、背景情報取得部４４が取得した複数の背景画像を、タッチパネル制御部４８が、タッチパネル６に表示させる（Ｓ４３）。Ｓ４３の後は、タッチパネル制御部４８により、背景画像が選択されたか否かが判断される（Ｓ４４）。
【０１８９】
背景画像が選択されたと判断された場合には（Ｓ４４においてＹｅｓ）、サイズ調整部４６が上述したサイズ調整処理を行なう（Ｓ４５）。一方、背景画像が選択されていないと判断された場合には（Ｓ４４においてＮｏ）、背景選択表示画面の表示を行っての経過時間が、１０秒を超えたか否かが判断される（Ｓ５１）。１０秒を超えている場合には（Ｓ５１においてＹｅｓ）、Ｓ４５に進み、サイズ調整処理が行なわれる。なお、この場合には、所定の背景画像が背景画像として用いられることとなる。一方、１０秒を超えていない場合には（Ｓ５１においてＮｏ）、Ｓ４３に戻る。
【０１９０】
なお、同図に示す、Ｓ４５からＳ５０、Ｓ５２、Ｓ５３の各処理は、それぞれ、図５に示したＳ１４からＳ１９、Ｓ２１、Ｓ２２と同じ処理となるため、ここでの説明を省略する。
【０１９１】
以上により、被写体の数に応じた背景画像を用いて、写真撮影を行なうことが可能となる。
【０１９２】
ここで、図１１に、被写体の数に応じた背景画像を用いた合成画像を示す。同図に示すように、２次元画像を３次元的に表現した、奥行きのある廊下画像が背景画像として用いられている。これは、例えば図７から図９に示した階段画像に比べて、廊下画像の方が複数人の被写体に適しているため、廊下画像が選択されている。なお、この図１１に示した背景画像もトリック画像である。
【０１９３】
次に、図４の撮影処理（Ｓ２の処理）の更に他の例について、図１２に基づいて説明する。なお、図１２は、写真プリント装置１における撮影処理の更に他のフローを示したフローチャートである。また、ここでは、被写体数検出部４２および背景画像指示部４３の機能、判定部４９の機能、背景変更指示部５２の機能、および、画像挿入指示部５３の機能をオフした場合を説明する。つまり、配置指示情報取得部４５の機能をオンした場合について説明する。
【０１９４】
同図のフローは、図５に示す分離処理（Ｓ１３の処理）とサイズ調整処理（Ｓ１４の処理）との間に新たな処理が１つ含まれている点、この画像合成処理での処理内容が異なる点を除き、基本的に図５のフローと同じ処理の流れである。つまり、図１２のＳ６１からＳ６３、および、Ｓ６５からＳ７３の各処理が、それぞれ、図５に示すＳ１１からＳ２２の処理に該当する。そこで、図５の処理と異なる点のみを説明する。
【０１９５】
Ｓ６３の後、配置指示情報取得部４５が記憶装置２０から、選択された背景画像に関する配置指示画像を取得し、サイズ調整部４６に送る（Ｓ６４）。そして、Ｓ６４の後は、サイズ調整部４６がサイズ調整処理を行なう（Ｓ６５）。
【０１９６】
また、Ｓ６６の合成処理では、画像合成部４７が、サイズ調整後の、選択した背景画像と被写体画像とを合成するが、あわせて、背景画像と被写体画像と配置指示画像とを合成する。なお、背景画像と被写体画像と配置指示画像との合成画像は、タッチパネル制御部４８により、タッチパネル６に表示される。これにより、背景画像に応じた最適な立ち位置やポーズを利用者が確認できる。
【０１９７】
図１３および図１４には、背景画像と被写体画像と配置指示画像との合成画像を示している。図１３は、被写体が移動する前の合成画像である。ここで、リアルタイム表示される合成画像を確認しながら、被写体となる利用者が合成画面に示された配置指示画像と重なるように移動すれば、被写体画像が背景画像に対して適切な配置となる。なお、この適切な配置となった後の合成画像を図１４に示す。
【０１９８】
このように、配置指示画像を用いることにより、利用者を適切な位置に案内することが可能となる。
【０１９９】
次に、図４の撮影処理（Ｓ２の処理）の更に他の例について、図１５に基づいて説明する。なお、図１５は、写真プリント装置１における撮影処理の更に他のフローを示したフローチャートである。また、ここでは、被写体数検出部４２および背景画像指示部４３の機能、配置指示情報取得部４５の機能、判定部４９の機能、および、画像挿入指示部５３の機能をオフした場合を説明する。つまり、背景変更指示部５２の機能をオンした場合について説明する。
【０２００】
同図のフローは、図５に示す撮影ボタン押下処理（Ｓ１６の処理）と写真撮影の処理（Ｓ１７の処理）との間に新たな処理が１つ含まれている点を除き、基本的に図５のフローと同じ処理の流れである。つまり、図１５のＳ８１からＳ８６、および、Ｓ８８からＳ９３の各処理が、それぞれ、図５に示すＳ１１からＳ２２の処理に該当する。そこで、図５の処理と異なる点のみを説明する。
【０２０１】
Ｓ８６の後、背景変更指示部５２からの指示により、上述したように、背景画像の変更が行なわれる（Ｓ８７）。そして、Ｓ８７の後は、変更後の背景画像を用いて写真撮影が行なわれる（Ｓ８８）。
【０２０２】
ここで、上記背景変更処理について、図１６に基づいて説明する。なお、以下では、記憶装置２０に背景画像がｎ種類、記憶されているとして説明する。また、各背景画像には、背景画像の特定するための、背景画像の番号を示した番号情報を備えているものとする。
【０２０３】
まず、背景情報取得部４４が、現在（変更前）の背景画像の番号情報から、番号ｍを値として取得する（Ｓ１０１）。Ｓ１０１の後は、背景情報取得部４４が、０を超え、１未満の乱数（ｒｎｄ）（少数に限る）を発生させる（Ｓ１０２）。Ｓ１０２の後は、背景情報取得部４４が、以下の式（１）を演算してｎ′を求める（Ｓ１０３）。なお、ｉｎｔ〔〕は、小数点以下を切り捨てる関数とする。
【０２０４】
ｎ′=ｉｎｔ〔ｒｎｄ×ｎ〕+１・・・・・・（１）
そして、Ｓ１０３の後は、背景情報取得部４４により、ｎ′とｍとが相違しているか否かが判断される（Ｓ１０４）。相違していない場合には（Ｓ１０４においてＮｏ）、再度、Ｓ１０２に戻る。一方、相違している場合には（Ｓ１０４においてＹｅｓ）、背景情報取得部４４により、ｎ′の値を番号情報として有する背景画像が記憶装置２０から読出される。そして、この読出された背景画像がサイズ調整部４６に送られ、背景画像の変更が行なわれる（Ｓ１０５）。そして、Ｓ１０５の処理が行われることにより、背景変更処理が終了する。
【０２０５】
図１７（ａ）は、背景画像の変更処理前の合成画像を示した図である。この図で示した金魚の背景画像が、上述した背景変更処理を行なうことにより、例えば、図１７（ｂ）で示したような鮫の背景画像に変更される。したがって、背景変更指示部の機能をオンさせることにより、被写体画像が、利用者が選択していない背景画像と合成されため、利用者に楽しみや驚きを与えることができる。
【０２０６】
次に、図４の撮影処理（Ｓ２の処理）の更に他の例について、図１８に基づいて説明する。なお、図１８は、写真プリント装置１における撮影処理の更に他のフローを示したフローチャートである。また、ここでは、被写体数検出部４２および背景画像指示部４３の機能、配置指示情報取得部４５の機能、判定部４９の機能、および、画像挿入指示部５３の機能をオフした場合を説明する。つまり、背景変更指示部５２の機能をオンした場合について説明する。
【０２０７】
同図のフローは、図５に示す写真撮影の処理（Ｓ１７の処理）と画像保存処理（Ｓ１８の処理）との間に新たな処理が２つ含まれている点を除き、基本的に図５のフローと同じ処理の流れである。つまり、図１８のＳ１１１からＳ１１７、および、Ｓ１２０からＳ１２４の各処理が、それぞれ、図５に示すＳ１１からＳ２２の処理に該当する。そこで、図５の処理と異なる点のみを説明する。
【０２０８】
Ｓ１１７の後は、背景画像の変更処理が行われる（Ｓ１１８）。なお、この背景画像の変更処理の処理内容は、図１５および図１６に基づいて説明した内容と同じであるため、説明を省略する。そして、Ｓ１１８の後は、再度、写真撮影の処理が行われる（Ｓ１１９）。また、Ｓ１１９の後は、Ｓ１２０に進み、画像保存処理が行われる。なお、Ｓ１２０での画像の保存については、Ｓ１１７での写真撮影とＳ１１９での写真撮影とで得られた両画像を保存する。
【０２０９】
このように、背景変更を行なって、再度写真撮影を行なうことにより、利用者が選択していない背景画像についても、利用者が鑑賞することができることとなる。
【０２１０】
ここで、画像挿入指示部５３により画像の挿入指示が行なわれて得られる画像の一例を図１９に示す。ここでは、背景画像の周辺領域（所定の領域）に、さらに別の背景画像が挿入された状態で画像が合成される。
【０２１１】
また、被写体の数が複数の場合、一律に被写体画像の大きさを調整するのではなく、被写体に応じて、異なるサイズ調整率で被写体画像の大きさの調整を行なってもよい。この場合、被写体画像間で遠近感が得られる。特に、背景画像として２次元画像を３次元的に表示した画像を利用する場合に好適となる。
【０２１２】
上記背景画像としては、特に限定されないが、上述したように、２次元画像を３次元的に表示したものが好ましい。その中でも、図７、図１１、図２０、図２１等に示すような画像を背景画像として用いれば、現実では存在しない状況を示した背景画像に被写体画像を、好適な大きさで重ね合わせることができる。
【０２１３】
ところで、上記の説明においては、写真撮影処理を行なう前に、分離処理やサイズ調整処理を行なう構成であったが、以下のような構成とすることもできる。
【０２１４】
つまり、分離処理部４１、サイズ調整部４６、画像合成部４７における各処理を編集処理時に行ってもよい。つまり、編集処理時に画像編集処理部５１が、サイズ調整を行なっていない被写体画像の分離処理を行い、その後、この分離処理した被写体画像と利用者が選択した背景画像との少なくとも一方の画像の大きさを調整してもよい。
【０２１５】
この場合には、画像編集処理部５１が、上記分離処理部４１に相当し分離処理を行なう分離手段、上記サイズ調整部４６に相当しサイズ調整を行なうサイズ調整手段、上記画像合成部４７に相当し画像の合成処理を行なう画像合成手段とを備えるものとする。
【０２１６】
なお、このサイズ調整は、装置が予め定めた設定サイズに自動調整する構成でも、利用者が、タッチパネル６等を用いて調整する構成でもよい。なお、利用者自身が設定する場合には、タッチパネル６にリアルタイムに調整後の画像が表示させることにより、利用者は容易にサイズ調整を行なうことができる。
【０２１７】
ここで、サイズ調整を編集処理時に行なう場合の処理フローについて、図２２に基づいて説明する。
【０２１８】
まず、タッチパネル制御部４８により、タッチパネル６に背景画像選択画面が表示される（Ｓ１３１）。Ｓ１３１の後は、タッチパネル制御部４８により、背景画像を選択したか否かが判断される（Ｓ１３２）。
【０２１９】
背景画像が選択されたと判断された場合には（Ｓ１３２においてＹｅｓ）、上記分離処理手段が、被写体画像の分離処理を行なう（Ｓ１３３）。そして、Ｓ１３３の後は、サイズ調整手段が上述したサイズ調整処理を行なう（Ｓ１３４）。また、Ｓ１３４の後は、画像合成手段が、サイズ調整後の、選択した背景画像と被写体画像とを合成する（Ｓ１３５）。
【０２２０】
一方、背景画像が選択されていないと判断された場合には（Ｓ１３２においてＮｏ）、背景選択表示画面の表示を行っての経過時間が、１０秒を超えたか否かが判断される（Ｓ１３８）。１０秒を超えていないと判断された場合には（Ｓ１３８においてＮｏ）、再び、Ｓ１３１に戻る。一方、１０秒を超えたと判断された場合には（Ｓ１３８においてＹｅｓ）、Ｓ１３３に進み、分離処理が行なわれる。なお、この場合には、所定の背景画像が背景画像として用いられることとなる。
【０２２１】
Ｓ１３５の後は、画像編集処理部５１により、合成画像が記憶装置に保存される（Ｓ１３６）。Ｓ１３６の後は、合成画像の保存枚数が、８枚以上になったか否かが判断される（Ｓ１３７）。保存枚数が８枚以上となった場合には（Ｓ１３７においてＹｅｓ）、編集処理を終了する。また、保存枚数が８枚以下の場合には（Ｓ１３７においてＮｏ）、編集処理開始からの経過時間が２分を超えたか否かが判断される（Ｓ１３９）。２分を超えていない場合には（Ｓ１３９においてＮｏ）、再度、Ｓ１３１に戻る。一方、２分を超えた場合には（Ｓ１３９においてＹｅｓ）、編集処理を終了する。
【０２２２】
また、背景画像に応じて予め定められた被写体配置となるように、被写体となる利用者に移動を音声等で促す案内装置を備える構成としてもよい。
【０２２３】
なお、図１３および図１４の場合、配置指示画像（図中、点線と網掛けで表示した領域）は画像の中央部のみとなっているが、例えば、階段の最上部としたり、右側の廊下の一番奥側となる領域としてもよい。
【０２２４】
また、複数のパターンを準備（表示）しておき、何れかのパターンと利用者の立ち位置とが一致したときに、写真撮影可能となる構成としてもよい。さらに、複数のパターンを表示した場合には、立ち位置（配置指示画像）に応じて、被写体画像の大きさを調整する構成としてもよい。つまり、利用者の立ち位置によって、例えば、利用者を撮影する際のカメラユニットのズーム率を自動的に調整する構成としてもよい。
【０２２５】
また、利用者は普通に立っている（つまり、足を地につけて立っている）だけだが、撮影固定時（つまり、写真撮影をし、背景画像と合成するとき）に、例えば逆立ち状態で合成する構成としてもよい。つまり、被写体画像を、上下反転させたり、回転させたりする画像処理を行った後、背景画像と合成してもよい。この場合には、利用者に対して、意外性や驚きを与えることができる。それゆえ、写真プリント装置自体のアミューズメント性が増すことになる。
【０２２６】
なお、上記のように、被写体画像を上下反転等させる場合には、ライブビュー時にも被写体画像を上下反転等させながら、タッチパネル６に合成表示させる構成としてもよい。この場合には、実際に逆立ちすることなく、手軽に逆立ち状態等の撮影ポーズを楽しむことができる。
【０２２７】
つまり、従来の写真プリント装置では、被写体画像を上下反転等しようとすると、利用者は無理な姿勢（ポーズ）をとる必要があった。それゆえ、利用者に苦痛を与えていた。しかしながら、本発明に係る写真プリント装置１を用いることにより、苦痛を伴うことなく、被写体画像が上下反転等した合成画像を得ることができる。
【０２２８】
また、背景画像の大きさの調整に関しては、縦方向と横方向とにおいて同率比で拡大・縮小してもよい。また、例えば横方向のみを拡大・縮小するといった、縦と横とで異なる比率で拡大・縮小を行なう、いわゆる変倍処理を行なう構成としてもよい。
【０２２９】
さらに、上記の実施の形態においては、サイズ調整部４６において、被写体画像の大きさ、および、背景画像の大きさの少なくとも一方を調整する構成であったが、サイズ調整部４６の代わりに、両画像のサイズ調整に加えて、被写体画像の配置（角度や場所）を調整する調整手段を備える構成としてもよい。また、上記調整手段が、被写体画像のサイズは調整せずに、被写体画像の配置と背景画像の大きさとを調整する構成としてもよい。さらには、調整手段が、被写体画像および背景画像のサイズ調整を行なわず、被写体画像の配置のみを調整する構成としてもよい。
【０２３０】
〔実施の形態２〕
本発明の他の実施の一形態について図２３〜図２６に基づいて説明すれば、以下のとおりである。なお、説明の便宜上、前記の実施の形態１で説明した部材と同一の機能を有する部材については、同一の符号を付し、その説明を省略する。また、前記実施の形態１で述べた各種の特徴点については、本実施の形態についても組み合わせて適用し得るものとする。
【０２３１】
本実施形態に係る写真プリント装置１′は、実施の形態１の写真プリント装置１と同様、利用者の写真を撮影する機能（撮影機能）、撮影した写真に対して落書きなどの編集を利用者に行わせる機能（編集機能）、及び編集された画像をプリントする機能（プリント機能）を備えているものである。なお、これらの機能は全て必須であるものではなく、例えば編集機能が省かれた構成とすることも可能である。
【０２３２】
（写真プリント装置の外観的構成）
まず、図２３および２４を参照しながら、写真プリント装置１′の外観について説明する。図２３は、本実施形態に係る写真プリント装置１′の斜視図である。また、図２４は、写真プリント装置１′の断面図である。図２３に示すように、カメラユニット２を備える本体装置３と、背景シート格納部１３と、投影装置１４と、スクリーン１５とが配備されている。
【０２３３】
装置本体３には、カメラユニット２、タッチパネル６、硬貨投入口７、硬貨返却口８、撮影後のプリントが排出されるプリント排出口９が設けられている。また、本体装置３には、被写体を照明する照明装置１０として、蛍光灯、ストロボランプ、反射板（これらは、装置本体３内に設置されているため、図示せず）、および拡散板１１ａ・１１ｂが配備される。なお、照明装置１０の構成は上記には限定されない。また、タッチパネル付近にはタッチペン１２ａ・１２ｂが設けられている。また、撮影空間５内に、スピーカ（図示せず）が配備されている。また、紙幣投入口を備えた構成であってもよい。
【０２３４】
以上のように、写真プリント装置１′は、背景シート格納部１３、スクリーン１５、および、投影装置１４を備える点で、実施の形態１で示した写真プリント装置１と異なる。
【０２３５】
背景シート格納部１３は、背景シートを格納している。そして、背景シート格納部１３は、例えば利用者の操作により、格納している背景シートを鉛直方向に引き出すことができる構成を有している。ここで、格納される背景シートとしては、単一色のシートに限らず、様々な画像（イラスト）が描かれたシートとすることができる。なお、本実施の形態の写真プリント装置１′では、上記背景シート格納部１３および背景シートは必須の構成要素ではない。
【０２３６】
投影装置１４は、被写体の背景となる背景画像をスクリーン１５に投影する。また、投影装置１４が投影する背景画像としては、記憶装置２０に記憶されている画像を用いる。
そして、スクリーン１５には、投影装置１４によって、投影装置１４の反対側の面に背景画像が表示される。また、投影装置１４は、スクリーン１５に投影する背景画像の大きさを制御する機能を有している。つまり、背景画像を所謂ズームインあるいはズームアウトし、スクリーン１５に表示される背景画像の大きさを調整する機能を有している。
【０２３７】
このように、本実施の形態の写真プリント装置１′では、背景画像とて、スクリーン１５に投影された画像を利用する構成としている。
【０２３８】
次に、写真プリント装置１′の機能的な構成について、図２５に示すブロック図を参照しながら説明する。同図に示すように、写真プリント装置１′は、前記したカメラユニット２、タッチパネル（第２の表示装置）６、タッチペン１２ａ・１２ｂ、及び照明装置１０に加えて、制御装置４０′、記憶装置２０、外部ディスクドライブ２１、電源装置２２、課金処理部２３、ＩＤタグリーダ／ライタ２４、プリンタ２５、受信部２６、表示装置（第１の表示装置）２７、および、プリント紙ユニット３０を備えている。なお、表示装置２７は、上記投影装置１４とスクリーン１５とで構成されている。
【０２３９】
制御装置４０′は、写真プリント装置１′内における上述した各種構成の動作を統括的に制御する。また、制御装置４０′は、被写体数検出部（検出手段）４２′、背景画像指示部４３、背景情報取得部４４、配置指示情報取得部４５、サイズ調整部（調整手段）４６′、画像合成部４７′、タッチパネル制御部４８、判定部（判定手段）４９′、写真画像取得部５０′、画像編集処理部５１、背景変更指示部５２、画像挿入指示部５３、書込処理部５４、表示制御部５５、被写体サイズ認識部（認識手段）５６、および、被写体配置識別部５７を備えている。
【０２４０】
つまり、制御装置４０′は、表示制御部５５、被写体サイズ認識部５６、および、被写体配置識別部５７を備える点、実施の形態１で示した分離処理部４１を備えていない点で、実施の形態１で示した制御装置４０と異なる。さらに、被写体数検出部４２′、サイズ調整部４６′、画像合成部４７′、判定部４９′、写真画像取得部５０′で行なわれる処理が、それぞれ、上記制御装置４０の被写体数検出部４２、サイズ調整部４６、画像合成部４７、判定部４９、写真画像取得部５０で行なわれる処理と異なる。
【０２４１】
以下、制御装置４０′に関し、制御装置４０と異なる点を主として説明する。
【０２４２】
被写体数検出部４２′は、カメラユニット２からの動画像に基づいて、被写体画像に含まれる被写体の数を検出する。検出方法は、被写体数検出部４２と同じような方法で行なえばよい。なお、この検出結果は、実施の形態１と同様、背景画像指示部４３に送られる。
【０２４３】
表示制御部５５は、背景情報取得部４４が記憶装置２０から取得した背景画像を受信して、この背景画像を表示装置２７に送る。そして、表示装置２７では、投影装置１４がスクリーン１５に該背景画像を投影する。この場合、投影装置１４は、所定の表示倍率で背景画像をスクリーン１５に表示させる。また、表示制御部５５は、サイズ調整部４６′からの指示により、投影装置１４に対して背景画像の表示倍率を変更する指示を送る構成でもある。
【０２４４】
被写体サイズ認識部５６は、まず、カメラユニット２で撮影された動画像を取得する。そして、取得した動画像から、被写体画像の大きさ（サイズ）の認識を行なう。この認識は、被写体を構成する要素（例えば、顔）の大きさ等に基づき、上記被写体画像の大きさを認識する。この場合も、パターンマッチングの手法等を用いた上で、被写体画像の大きさ認識すればよい。なお、上記取得した動画像には、被写体画像と共に、投影装置１４によってスクリーン１５に投影された背景画像も含まれている。そして、被写体サイズ認識部５６は、被写体画像の大きさの情報と上記動画像とをサイズ調整部４６′に送る。
【０２４５】
サイズ調整部４６′は、被写体サイズ認識部５６から被写体画像の大きさの情報および動画像を、背景情報取得部４４から背景画像を、配置指示情報取得部４５から配置指示画像を受け付ける。そして、サイズ調整部４６′は、背景画像の大きさを調整する。また、サイズ調整部４６′は、背景画像の大きさの調整に伴い、配置指示画像も背景画像と同じ比率で、その大きさを調整する。
【０２４６】
より詳しくは、サイズ調整部４６′が、表示制御部５５に対して背景画像の大きさの調整指示を送る。これにより、上述したように、スクリーン１５の背景画像の大きさが変更される。
【０２４７】
被写体配置識別部５７は、まず、カメラユニット２で撮影された動画像を取得する。そして、被写体配置識別部５７は、被写体画像が動画像中のどの位置を占めているかを識別し、この情報を（つまり、被写体画像の配置領域情報）をサイズ調整部４６′に送る。
【０２４８】
サイズ調整部４６′は、背景画像の大きさの調整を行った後、調整後の動画像（つまり、被写体画像および調整後の背景画像）および配置指示画像を画像合成部４７′に送る。また、サイズ調整部４６′は、判定部４９′に対して、調整後の配置指示画像、および、被写体画像の配置領域情報を送る。
【０２４９】
画像合成部４７′は、調整後の動画像および配置指示画像を受け付ける。そして、この動画像と配置指示画像とを合成する。また、画像合成部４７′は、写真画像取得部５０からの要求に応じて、調整後の動画像を写真画像取得部５０へ送る。
【０２５０】
タッチパネル制御部４８は、画像合成部４７′から合成した画像を受け付けて、この合成画像をタッチパネル６に表示させる。
【０２５１】
判定部４９′は、サイズ調整部４６′から、調整後の配置指示画像、および、被写体画像の配置領域情報を受け付ける。そして、そして、この配置指示画像と被写体画像の配置領域情報とに基づいて、判定部４９′は、被写体画像が配置指示画像どおりの位置にあるか否かを判定する。この他に関しては、実施の形態１で示した判定部４９と同一であるため、説明を省略する。
【０２５２】
ここで、利用者がタッチパネル６を介して撮影指示を写真プリント装置１′に与えた場合、ストロボランプにより閃光がたかれ、被写体の写真撮影が行われる。また、上記撮影指示の情報は、タッチパネル制御部４８を介して、写真画像取得部５０′に伝えられる。この撮影指示の情報が伝えられると、写真画像取得部５０′は、所定のタイミングで、閃光がたかれた際の動画像（被写体画像と調整後の背景画像）を、画像合成部４７′から取得する。そして、写真画像取得部５０′は、上記取得した合成画像（写真画像）を、画像編集処理部５１に送る。
【０２５３】
なお、制御装置４０′内でのその他の処理は、実施の形態１で示した制御装置４０での処理と同一であるため、ここでの説明は省略する。
【０２５４】
次に、本実施の形態の写真プリント装置１′を用いた処理フローの一例について説明する。なお、上記写真プリント装置１′における全体処理の流れは、実施の形態１の図４に示した流れと同じである。なお、本実施の形態において実施の形態１の処理内容と相違するのは、撮影処理（図４のＳ２における処理）の内容であるため、撮影処理の一例について図２６に基づいて説明する。
【０２５５】
また、図２６に示す処理では、被写体数検出部４２および背景画像指示部４３の機能、配置指示情報取得部４５の機能、判定部４９′の機能、背景変更指示部５２の機能、および、画像挿入指示部５３の機能をオフした場合を説明する。つまり、実施の形態１の図５に相当する処理について説明する。
【０２５６】
まず、タッチパネル制御部４８により、タッチパネル６に背景画像選択画面が表示される（Ｓ１４１）。Ｓ１４１の後は、タッチパネル制御部４８により、背景画像を選択したか否かが判断される（Ｓ１４２）。
【０２５７】
背景画像が選択されたと判断された場合には（Ｓ１４２においてＹｅｓ）、被写体サイズ認識部５６が、被写体画像の大きさの認識を行なう（Ｓ１４３）。そして、Ｓ１４３の後は、サイズ調整部４６′が、上述したように、背景画像のサイズ調整処理を行なう（Ｓ１４４）。一方、背景画像が選択されていないと判断された場合には（Ｓ１４２においてＮｏ）、背景選択表示画面の表示を行っての経過時間が、１０秒を超えたか否かが判断される（Ｓ１４９）。１０秒を超えていないと判断された場合には（Ｓ１４９においてＮｏ）、再び、Ｓ１４１に戻る。一方、１０秒を超えたと判断された場合には（Ｓ１４９においてＹｅｓ）、Ｓ１４３に進み、被写体画像の大きさ認識が行なわれる。なお、この場合には、所定の背景画像が背景画像として用いられることとなる。
【０２５８】
Ｓ１４４の後は、タッチパネル６に表示された撮影ボタン（オブジェクト）が、押し下げられたか否かが判断される（Ｓ１４５）。撮影ボタンが押し下げられたと判断された場合には（Ｓ１４５においてＹｅｓ）、ストロボを閃光させるなどして、被写体の写真撮影が行われる（Ｓ１４６）。そして、Ｓ１４６の後は、写真撮影が行われた際の動画像を写真画像（静止画像）として記憶装置に保存する（Ｓ１４７）。一方、撮影ボタンが押し下げられていないと判断された場合には（Ｓ１４５においてＮｏ）、撮影許可表示がタッチパネル６で表示されてからの経過時間が、５秒を超えたか否かが判断される（Ｓ１５０）。そして、５秒を超えていないと判断された場合には（Ｓ１５０においてＮｏ）、再度、Ｓ１４１に戻る。また、５秒を超えたと判断された場合には（Ｓ１５０においてＹｅｓ）、Ｓ１４６に進み、写真撮影を行なう。
【０２５９】
Ｓ１４７の後は、合成画像の保存枚数が、８枚以上になったか否かが判断される（Ｓ１４８）。この判断は、例えば、タッチパネル制御部４８によって行なう。保存枚数が８枚以上となった場合には（Ｓ１４８においてＹｅｓ）、撮影処理を終了する。また、保存枚数が８枚以下の場合には（Ｓ１４８においてＮｏ）、撮影処理開始からの経過時間が２分を超えたか否かが判断される（Ｓ１５１）。２分を超えていない場合には（Ｓ１５１においてＮｏ）、再度、Ｓ１４１に戻る。一方、２分を超えた場合には（Ｓ１５１においてＹｅｓ）、撮影処理を終了する。
【０２６０】
以上のように、実施の形態１の図５で示した処理における、分離処理（図５のＳ１３における処理）、サイズ調整処理（同図のＳ１４における処理）、合成処理（同図のＳ１５における処理）の代わりに、本実施の形態では、図２６のＳ１４３の処理とＳ１４４の処理とが行なわれる。この点以外は、同じである。
【０２６１】
また、上記実施の形態１の図１０に基づいて説明した、被写体数検出部４２および背景画像指示部４３の機能をオンさせた場合については、図５のＳ１３からＳ１５の処理を図２６のＳ１４３およびＳ１４４の処理に置き換えた上で、実施の形態１で示したようなステップの変更を行なうことにより、実施の形態１と同様の効果を得られる。
【０２６２】
さらに、実施の形態１の図１２に基づいて説明した、配置指示情報取得部４５の機能をオンした場合についても、上記置換えを行なった上で、実施の形態１で示したようなステップの変更を行なうことにより、実施の形態１と同様の効果を得られる。
【０２６３】
また、上記実施の形態１の図１５に基づいて説明した、背景変更指示部５２の機能をオンした場合についても、上記置換えを行なった上で、実施の形態１に示したステップの変更を行なうことにより、実施の形態１と同様の効果を得られる。
【０２６４】
なお、背景変更処理については、写真撮影の瞬間に別の背景画像をスクリーン１５に投影し、この別の背景画像と被写体とを撮影すればよい。
【０２６５】
また、本実施の形態においては、表示装置２７として投影装置１４とスクリーン１５を例に挙げたが、これに限定されるものではない。例えば、液晶表示装置、プラズマ表示装置、ＣＲＴ（Cathode Ray Tube）を用いてもよい。
【０２６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２６７】
なお、上記実施形態の写真プリント装置（１・１′）の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の写真プリント装置（１・１′）の各種機能および各種処理を実現することができる。また、上記プログラムをリムーバブルな記録媒体に記録することにより、任意のコンピュータ上で上記の各種機能および各種処理を実現することができる。
【０２６８】
この記録媒体としては、マイクロコンピュータで処理を行なうために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２６９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２７０】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２７１】
また、インターネットを含む通信ネットワークを接続可能なシステム構成であれば、通信ネットワークからプログラムをダウンロードするように流動的にプログラムを担持する記録媒体であることが好ましい。
【０２７２】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２７３】
本発明は、プリント媒体上に合成画像を出力することの可能な写真プリント装置に利用できる。
【図面の簡単な説明】
【０２７４】
【図１】本発明の実施の形態に係る写真プリント装置の機能ブロック図である。
【図２】上記写真プリント装置の斜視図である。
【図３】上記写真プリント装置とサーバとから構成されるシステムを示した図である。
【図４】上記写真プリント装置における処理フローを示したフローチャートである。
【図５】上記処理フローの一部の処理である撮影処理のフローを示したフローチャートである。
【図６】上記撮影処理のフローの一部の処理であるサイズ調整処理のフローを示したフローチャートである。
【図７】上記サイズ調整処理を行なう前の合成画像を示した図である。
【図８】上記サイズ調整処理後の合成画像を示した図である。
【図９】上記サイズ調整処理を行なう前の他の合成画像を示した図である。
【図１０】他の撮影処理のフローを示したフローチャートである。
【図１１】被写体の数に応じた背景画像を用いた場合における、サイズ調整後の合成画像を示した図である。
【図１２】さらに他の撮影処理のフローを示したフローチャートである。
【図１３】被写体が移動する前の合成画像を示した図である。
【図１４】被写体が移動して適切な配置となった場合の合成画像を示した図である。
【図１５】さらに他の撮影処理のフローを示したフローチャートである。
【図１６】背景画像の変更処理のフローを示したフローチャートである。
【図１７】（ａ）は、背景画像の変更前の合成画像を示した図であり、（ｂ）は、背景画像の変更処理を行った後の合成画像を示した図である。
【図１８】さらに他の撮影処理のフローを示したフローチャートである。
【図１９】背景画像の挿入処理が行われた後の合成画像を示した図である。
【図２０】背景画像の一例を示した図である。
【図２１】他の背景画像を用いた場合における、合成画像を示した図である。
【図２２】上記サイズ調整処理を編集処理時に行なう場合の処理フローを示したフローチャートである。
【図２３】他の実施の形態に係る写真プリント装置の斜視図である。
【図２４】上記写真プリント装置の断面図である。
【図２５】上記写真プリント装置の機能ブロック図である。
【図２６】上記写真プリント装置における撮影処理のフローを示したフローチャートである。
【符号の説明】
【０２７５】
１・１′  写真プリント装置
２  カメラユニット（撮影装置）
３  装置本体
４  背景シート
６  タッチパネル（表示装置・第２の表示装置）
１４  投影装置
１５  スクリーン
２０  記憶装置
２５  プリンタ（出力装置）
２６  受信部（受信装置）
２７  表示装置（第１の表示装置）
３２  プリント紙（プリント媒体）
３５  プリンタ
４０・４０′  制御装置
４１  分離処理部（分離手段）
４２・４２′  被写体数検出部（検出手段）
４３  背景画像指示部
４４  背景情報取得部
４５  配置指示情報取得部
４６・４６′  サイズ調整部（調整手段）
４７  画像合成部（合成手段）
４７′  画像合成部
４８  タッチパネル制御部
４９・４９′  判定部（判定手段）
５０  写真画像取得部（写真画像設定手段）
５１  画像編集処理部
５２  背景変更指示部
５３  画像挿入指示部
５５  表示制御部
５６  被写体サイズ認識部（認識手段）
５７  被写体配置識別部
【図１】
2005295163.tif 000003
【図２】
2005295163.tif 000004
【図３】
2005295163.tif 000005
【図４】
2005295163.tif 000006
【図５】
2005295163.tif 000007
【図６】
2005295163.tif 000008
【図７】
2005295163.tif 000009
【図８】
2005295163.tif 000010
【図９】
2005295163.tif 000011
【図１０】
2005295163.tif 000012
【図１１】
2005295163.tif 000013
【図１２】
2005295163.tif 000014
【図１３】
2005295163.tif 000015
【図１４】
2005295163.tif 000016
【図１５】
2005295163.tif 000017
【図１６】
2005295163.tif 000018
【図１７】
2005295163.tif 000019
【図１８】
2005295163.tif 000020
【図１９】
2005295163.tif 000021
【図２０】
2005295163.tif 000022
【図２１】
2005295163.tif 000023
【図２２】
2005295163.tif 000024
【図２３】
2005295163.tif 000025
【図２４】
2005295163.tif 000026
【図２５】
2005295163.tif 000027
【図２６】
2005295163.tif 000028